(57)【要約】      （修正有）【課題】増加したＭＣＳのサポートのため、チャネル品質インジケータ（ＣＱＩ）テーブルおよび変調及びコーディング方式（ＭＣＳ）テーブルにデータエントリーを追加する方法、システム及びデバイスを提供する。【解決手段】方法は、少なくとも２つのＣＱＩテーブルの使用をサポートする。少なくとも２つのＣＱＩテーブルのうちの１つを識別する。ワイヤレスチャネルのためのＣＱＩ値を生成するために、識別されたＣＱＩテーブルを使用する。さらに、少なくとも２つのＭＣＳテーブルの使用をサポートし、ワイヤレスチャネルを介して送信を受信する。受信した送信のために使用すべき少なくとも２つのＭＣＳテーブルのうちの１つを識別する。さらに、識別したＭＣＳテーブルからマッピングされたトランスポートブロックサイズ（ＴＢＳ）テーブルを識別する。受信した送信のサイズを決定するために、識別したＴＢＳテーブルを使用する。【選択図】図９
2018152880.tif 000002
【特許請求の範囲】
【請求項１】
少なくとも２つのチャネル品質インジケータ（ＣＱＩ）テーブルの使用をサポートすることと、
前記少なくとも２つのＣＱＩテーブルのうちの１つを識別することと、
ワイヤレスチャネルのためのＣＱＩ値を生成するために、前記識別されたＣＱＩテーブルを使用することと
を備える、ワイヤレス通信のための方法。
【請求項２】
どのＣＱＩテーブルが識別されたかにかかわらず、前記ＣＱＩ値を表すために同じビット数が使用される、請求項１に記載の方法。
【請求項３】
前記ＣＱＩテーブルの前記識別が、複数のチャネル状態情報（ＣＳＩ）識別からの、ＣＳＩの識別に少なくとも部分的に基づき、ここで、前記ＣＳＩが周期ＣＳＩまたは非周期ＣＳＩのうちの少なくとも１つである、請求項１に記載の方法。
【請求項４】
前記複数のＣＳＩ識別の各々がサブフレームのセットに関連付けられ、ここで、サブフレームの前記セットが、半静的構成または半静的指示に少なくとも部分的に基づいて決定される、請求項３に記載の方法。
【請求項５】
第１のチャネル状態情報（ＣＳＩ）プロセスのために使用すべき第１のＣＱＩテーブルを識別することと、
第２のＣＳＩプロセスのために使用すべき第２のＣＱＩテーブルを識別することと、前記第２のＣＳＩプロセスが前記第１のＣＳＩプロセスとは異なる、
をさらに備える、請求項１に記載の方法。
【請求項６】
前記少なくとも２つのＣＱＩテーブルのうちの１つを前記識別することが、
あらかじめ定義された構成設定に従って、前記ＣＱＩ値を生成するために使用すべき前記ＣＱＩテーブルを選択すること
を備える、請求項１に記載の方法。
【請求項７】
前記少なくとも２つのＣＱＩテーブルのうちの１つを前記識別することが、
前記ＣＱＩ値を生成するために使用すべき前記ＣＱＩテーブルを動的に選択することを備える、請求項１に記載の方法。
【請求項８】
前記ＣＱＩ値が制御チャネルを介して送信されるべきかデータチャネルを介して送信されるべきかを決定することと、
前記ＣＱＩ値が前記制御チャネルを介して送信されるべきであると決定すると、使用すべき第１のＣＱＩテーブルを識別することと、
前記ＣＱＩ値が前記データチャネルを介して送信されるべきであると決定すると、使用すべき第２のＣＱＩテーブルを識別することと、前記第２のＣＱＩテーブルが前記第１のＣＱＩテーブルとは異なる、
をさらに備える、請求項１に記載の方法。
【請求項９】
前記第１のＣＱＩテーブルを識別すると、前記第１のＣＱＩテーブルに基づいて前記ＣＱＩ値を表すために第１のビット数を使用することと、
前記第２のＣＱＩテーブルを識別すると、前記第２のＣＱＩテーブルに基づいて前記ＣＱＩ値を表すために第２のビット数を使用することと、前記第２のビット数が前記第１のビット数よりも大きい、
をさらに備える、請求項８に記載の方法。
【請求項１０】
前記ＣＱＩ値が周期チャネル状態情報（Ｐ−ＣＳＩ）報告の一部であるか非周期チャネル状態情報（Ａ−ＣＳＩ）報告の一部であるのかを決定することと、
前記ＣＱＩ値が前記Ｐ−ＣＳＩ報告の一部の場合と決定すると、使用すべき第１のＣＱＩテーブルを識別することと、
前記ＣＱＩ値が前記Ａ−ＣＳＩ報告の一部であると決定すると、使用すべき第２のＣＱＩテーブルを識別することと、前記第２のＣＱＩテーブルが前記第１のＣＱＩテーブルとは異なる、
をさらに備える、請求項１に記載の方法。
【請求項１１】
第１のＣＱＩテーブルを使用して第１のＣＱＩ値を生成することと、
第２のＣＱＩテーブルを使用して第２のＣＱＩ値を生成することと、
単一のサブフレームにおいてワイヤレスチャネルを介して前記第１のＣＱＩ値と前記第２のＣＱＩ値とを送信することと
をさらに備える、請求項１に記載の方法。
【請求項１２】
前記少なくとも２つのＣＱＩテーブルが少なくとも１つの共通データエントリを備える、請求項１に記載の方法。
【請求項１３】
ＣＱＩテーブルがＣＱＩ値のリスティングを備え、各ＣＱＩ値がスペクトル効率値にマッピングされる、請求項１に記載の方法。
【請求項１４】
前記識別されたＣＱＩ報告テーブルのうちの少なくとも１つが２５６直交振幅変調（ＱＡＭ）をサポートする、請求項１に記載の方法。
【請求項１５】
プロセッサと、
前記プロセッサと電子通信しているメモリと、
前記メモリに記憶された命令と
を備え、前記命令が、
少なくとも２つのチャネル品質インジケータ（ＣＱＩ）報告テーブルの使用をサポートすることと、
前記少なくとも２つのＣＱＩテーブルのうちの１つを識別することと、
ワイヤレスチャネルのためのＣＱＩ値を生成するために、前記識別されたＣＱＩテーブルを使用することと
を行うように前記プロセッサによって実行可能である、ワイヤレス通信のための装置。
【請求項１６】
どのＣＱＩテーブルが識別されたかにかかわらず、前記ＣＱＩ値を表すために同じビット数が使用される、請求項１５に記載の装置。
【請求項１７】
前記ＣＱＩテーブルの前記識別が、複数のチャネル状態情報（ＣＳＩ）識別からの、ＣＳＩの識別に少なくとも部分的に基づき、ここで、前記ＣＳＩが周期ＣＳＩまたは非周期ＣＳＩのうちの少なくとも１つである、請求項１５に記載の装置。
【請求項１８】
前記複数のＣＳＩ識別の各々がサブフレームのセットに関連付けられ、ここで、サブフレームの前記セットが、半静的構成または半静的指示に少なくとも部分的に基づいて決定される、請求項１７に記載の装置。
【請求項１９】
前記命令は、
第１のチャネル状態情報（ＣＳＩ）プロセスのために使用すべき第１のＣＱＩテーブルを識別することと、
第２のＣＳＩプロセスのために使用すべき第２のＣＱＩテーブルを識別することと、前記第２のＣＳＩプロセスが前記第１のＣＳＩプロセスとは異なる、
を行うように前記プロセッサによって実行可能である、請求項１５に記載の装置。
【請求項２０】
前記少なくとも２つのＣＱＩテーブルのうちの１つを識別するための前記命令が、
あらかじめ定義された構成設定に従って、前記ＣＱＩ値を生成するために使用すべき前記ＣＱＩテーブルを選択する
ように前記プロセッサによって実行可能である、請求項１５に記載の装置。
【請求項２１】
前記少なくとも２つのＣＱＩテーブルのうちの１つを識別するための前記命令が、
前記ＣＱＩ値を生成するために使用すべき前記ＣＱＩテーブルを動的に選択する
ように前記プロセッサによって実行可能である、請求項１５に記載の装置。
【請求項２２】
前記命令は、
前記ＣＱＩ値が制御チャネルを介して送信されるべきかデータチャネルを介して送信されるべきかを決定することと、
前記ＣＱＩ値が前記制御チャネルを介して送信されるべきであると決定すると、使用すべき第１のＣＱＩテーブルを識別することと、
前記ＣＱＩ値が前記データチャネルを介して送信されるべきであると決定すると、使用すべき第２のＣＱＩテーブルを識別することと、前記第２のＣＱＩテーブルが前記第１のＣＱＩテーブルとは異なる、
を行うように前記プロセッサによって実行可能である、請求項１５に記載の装置。
【請求項２３】
前記命令は、
前記第１のＣＱＩテーブルを識別すると、前記第１のＣＱＩテーブルに基づいて前記ＣＱＩ値を表すために第１のビット数を使用することと、
前記第２のＣＱＩテーブルを識別すると、前記第２のＣＱＩテーブルに基づいて前記ＣＱＩ値を表すために第２のビット数を使用することと、前記第２のビット数が前記第１のビット数よりも大きい、
を行うように前記プロセッサによって実行可能である、請求項１５に記載の装置。
【請求項２４】
前記命令は、
前記ＣＱＩ値が周期チャネル状態情報（Ｐ−ＣＳＩ）報告の一部であるか非周期チャネル状態情報（Ａ−ＣＳＩ）報告の一部であるかを決定することと、
前記ＣＱＩ値が前記Ｐ−ＣＳＩ報告の一部の場合と決定すると、使用すべき第１のＣＱＩテーブルを識別することと、
前記ＣＱＩ値が前記Ａ−ＣＳＩ報告の一部であると決定すると、使用すべき第２のＣＱＩテーブルを識別することと、前記第２のＣＱＩテーブルが前記第１のＣＱＩテーブルとは異なる、
を行うように前記プロセッサによって実行可能である、請求項１５に記載の装置。
【請求項２５】
前記命令が、
第１のＣＱＩテーブルを使用して第１のＣＱＩ値を生成することと、
第２のＣＱＩテーブルを使用して第２のＣＱＩ値を生成することと、
単一のサブフレームにおいてワイヤレスチャネルを介して前記第１のＣＱＩ値と前記第２のＣＱＩ値とを送信することと
を行うように前記プロセッサによって実行可能である、請求項１５に記載の装置。
【請求項２６】
前記少なくとも２つのＣＱＩテーブルが少なくとも１つの共通データエントリを備える、請求項１５に記載の装置。
【請求項２７】
ＣＱＩテーブルがＣＱＩ値のリスティングを備え、各ＣＱＩ値がスペクトル効率値にマッピングされる、請求項１５に記載の装置。
【請求項２８】
前記識別されたＣＱＩ報告テーブルのうちの少なくとも１つが２５６直交振幅変調（ＱＡＭ）をサポートする、請求項１５に記載の装置。
【請求項２９】
少なくとも２つのチャネル品質インジケータ（ＣＱＩ）報告テーブルの使用をサポートするための手段と、
前記少なくとも２つのＣＱＩテーブルのうちの１つを識別するための手段と、
ワイヤレスチャネルのためのＣＱＩ値を生成するために、前記識別されたＣＱＩテーブルを使用するための手段と
を備える、ワイヤレス通信のための装置。
【請求項３０】
どのＣＱＩテーブルが識別されたかにかかわらず、前記ＣＱＩ値を表すために同じビット数が使用される、請求項２９に記載の装置。
【請求項３１】
前記ＣＱＩテーブルの前記識別が、複数のチャネル状態情報（ＣＳＩ）識別からの、ＣＳＩの識別に少なくとも部分的に基づき、ここで、前記ＣＳＩが周期ＣＳＩまたは非周期ＣＳＩのうちの少なくとも１つである、請求項２９に記載の装置。
【請求項３２】
前記複数のＣＳＩ識別の各々がサブフレームのセットに関連付けられ、ここで、サブフレームの前記セットが、半静的構成または半静的指示に少なくとも部分的に基づいて決定される、請求項３１に記載の装置。
【請求項３３】
前記ＣＱＩ値が制御チャネルを介して送信されるべきかデータチャネルを介して送信されるべきかを決定するための手段と、
前記ＣＱＩ値が前記制御チャネルを介して送信されるべきであると決定すると、使用すべき第１のＣＱＩテーブルを識別するための手段と、
前記ＣＱＩ値が前記データチャネルを介して送信されるべきであると決定すると、使用すべき第２のＣＱＩテーブルを識別するための手段と、前記第２のＣＱＩテーブルが前記第１のＣＱＩテーブルとは異なる、
をさらに備える、請求項２９に記載の装置。
【請求項３４】
前記第１のＣＱＩテーブルを識別すると、前記第１のＣＱＩテーブルに基づいて前記ＣＱＩ値を表すために第１のビット数を使用するための手段と、
前記第２のＣＱＩテーブルを識別すると、前記第２のＣＱＩテーブルに基づいて前記ＣＱＩ値を表すために第２のビット数を使用するための手段と、前記第２のビット数が前記第１のビット数よりも大きい、
をさらに備える、請求項３３に記載の装置。
【請求項３５】
ワイヤレス通信を管理するためのコンピュータプログラム製品であって、前記コンピュータプログラム製品は、
少なくとも２つのチャネル品質インジケータ（ＣＱＩ）報告テーブルの使用をサポートすることと、
前記少なくとも２つのＣＱＩテーブルのうちの１つを識別することと、
ワイヤレスチャネルのためのＣＱＩ値を生成するために、前記識別されたＣＱＩテーブルを使用することと
を行うようにプロセッサによって実行可能な命令を記憶する非一時的コンピュータ可読媒体を備える、コンピュータプログラム製品。
【請求項３６】
少なくとも２つの変調およびコーディング方式（ＭＣＳ）テーブルの使用をサポートすることと、
ワイヤレスチャネルを介して送信を受信することと、
前記受信された送信のために使用すべき前記少なくとも２つのＭＣＳテーブルのうちの１つを識別することと
を備える、ワイヤレス通信のための方法。
【請求項３７】
前記受信された送信のために使用すべきＭＣＳを決定するために、前記識別されたＭＣＳテーブルを使用すること
をさらに備える、請求項３６に記載の方法。
【請求項３８】
第１のトランスポートブロックサイズ（ＴＢＳ）テーブルが第１のＭＣＳテーブルからマッピングされ、第２のＴＢＳテーブルが第２のＭＣＳテーブルからマッピングされ、前記第２のＴＢＳテーブルが、前記第１のＴＢＳテーブル中の最大ＴＢＳよりも大きい少なくとも１つのＴＢＳを備える、請求項３６に記載の方法。
【請求項３９】
前記識別されたＭＣＳテーブルからマッピングされたＴＢＳテーブルを識別することと、
前記受信された送信のサイズを決定するために、前記識別されたＴＢＳテーブルを使用することと
をさらに備える、請求項３８に記載の方法。
【請求項４０】
前記少なくとも２つのＭＣＳテーブルのうちの１つを前記識別することが、
前記ワイヤレスチャネルを介して、前記受信された送信を送信するために使用される送信のタイプを決定することと、
送信の前記タイプに少なくとも部分的に基づいて、前記受信された送信のために使用すべき前記少なくとも２つのＭＣＳテーブルのうちの１つを識別することと
を備える、請求項３６に記載の方法。
【請求項４１】
前記少なくとも２つのＭＣＳテーブルのうちの１つを前記識別することが、
前記受信された送信を送信するために使用される制御チャネルのタイプを識別することと、
制御チャネルの前記識別されたタイプに少なくとも部分的に基づいて、前記受信された送信のために使用すべき前記少なくとも２つのＭＣＳテーブルのうちの１つを識別することと
を備える、請求項３６に記載の方法。
【請求項４２】
アップリンク送信のために使用すべきＭＣＳを決定するために、前記識別されたＭＣＳテーブルを使用すること
をさらに備える、請求項３６に記載の方法。
【請求項４３】
第１のＭＣＳテーブルに基づいて第１のＭＣＳを表すために第１のビット数が使用され、第２のＭＣＳテーブルに基づいて第２のＭＣＳを表すために第２のビット数が使用される、請求項３６に記載の方法。
【請求項４４】
前記第１のビット数が前記第２のビット数と同じである、請求項４３に記載の方法。
【請求項４５】
前記少なくとも２つのＭＣＳテーブルのうちの１つを前記識別することが、
前記受信された送信のために使用すべき前記ＭＣＳテーブルを動的に選択すること
を備える、請求項３６に記載の方法。
【請求項４６】
前記少なくとも２つのＭＣＳテーブルのうちの１つを識別することが、
あらかじめ定義された構成設定に従って、前記受信された送信のために使用すべき前記ＭＣＳテーブルを選択すること
を備える、請求項３６に記載の方法。
【請求項４７】
プロセッサと、
前記プロセッサと電子通信しているメモリと、
前記メモリに記憶された命令と
を備え、前記命令が、
少なくとも２つの変調およびコーディング方式（ＭＣＳ）テーブルの使用をサポートすることと、
ワイヤレスチャネルを介して送信を受信することと、
前記受信された送信のために使用すべき前記少なくとも２つのＭＣＳテーブルのうちの１つを識別することと
を行うように前記プロセッサによって実行可能である、ワイヤレス通信のための装置。
【請求項４８】
前記命令が、
前記受信された送信のために使用すべきＭＣＳを決定するために、前記識別されたＭＣＳテーブルを使用する
ように前記プロセッサによって実行可能である、請求項４７に記載の装置。
【請求項４９】
第１のトランスポートブロックサイズ（ＴＢＳ）テーブルが第１のＭＣＳテーブルからマッピングされ、第２のＴＢＳテーブルが第２のＭＣＳテーブルからマッピングされ、前記第２のＴＢＳテーブルが、前記第１のＴＢＳテーブル中の最大ＴＢＳよりも大きい少なくとも１つのＴＢＳを備える、請求項４７に記載の装置。
【請求項５０】
前記命令が、
前記識別されたＭＣＳテーブルからマッピングされたＴＢＳテーブルを識別することと、
前記受信された送信のサイズを決定するために、前記識別されたＴＢＳテーブルを使用することと
を行うように前記プロセッサによって実行可能である、請求項４９に記載の装置。
【請求項５１】
前記少なくとも２つのＭＣＳテーブルのうちの１つを識別するための前記命令が、
前記ワイヤレスチャネルを介して、前記受信された送信を送信するために使用される送信のタイプを決定することと、
送信の前記タイプに少なくとも部分的に基づいて、前記受信された送信のために使用すべき前記少なくとも２つのＭＣＳテーブルのうちの１つを識別することと
を行うように前記プロセッサによって実行可能である、請求項４７に記載の装置。
【請求項５２】
前記少なくとも２つのＭＣＳテーブルのうちの１つを識別するための前記命令が、
前記受信された送信を送信するために使用される制御チャネルのタイプを識別することと、
制御チャネルの前記識別されたタイプに少なくとも部分的に基づいて、前記受信された送信のために使用すべき前記少なくとも２つのＭＣＳテーブルのうちの１つを識別することと
を行うように前記プロセッサによって実行可能である、請求項４７に記載の装置。
【請求項５３】
前記命令が、
アップリンク送信のために使用すべきＭＣＳを決定するために、前記識別されたＭＣＳテーブルを使用する
ように前記プロセッサによって実行可能である、請求項４７に記載の装置。
【請求項５４】
第１のＭＣＳテーブルに基づいて第１のＭＣＳを表すために第１のビット数が使用され、第２のＭＣＳテーブルに基づいて第２のＭＣＳを表すために第２のビット数が使用される、請求項４７に記載の装置。
【請求項５５】
前記第１のビット数が前記第２のビット数と同じである、請求項５４に記載の装置。
【請求項５６】
前記少なくとも２つのＭＣＳテーブルのうちの１つを識別するための前記命令が、
前記受信された送信のために使用すべき前記ＭＣＳテーブルを動的に選択する
ように前記プロセッサによって実行可能である、請求項４７に記載の装置。
【請求項５７】
前記少なくとも２つのＭＣＳテーブルのうちの１つを識別するための前記命令が、
あらかじめ定義された構成設定に従って、前記受信された送信のために使用すべき前記ＭＣＳテーブルを選択する
ように前記プロセッサによって実行可能である、請求項４７に記載の装置。
【請求項５８】
少なくとも２つの変調およびコーディング方式（ＭＣＳ）テーブルの使用をサポートするための手段と、
ワイヤレスチャネルを介して送信を受信するための手段と、
前記受信された送信のために使用すべき前記少なくとも２つのＭＣＳテーブルのうちの１つを識別するための手段と
を備える、ワイヤレス通信のための装置。
【請求項５９】
前記受信された送信のために使用すべきＭＣＳを決定するために、前記識別されたＭＣＳテーブルを使用するための手段
をさらに備える、請求項５８に記載の装置。
【請求項６０】
第１のＭＣＳテーブルに基づいて第１のＭＣＳを表すために第１のビット数が使用され、第２のＭＣＳテーブルに基づいて第２のＭＣＳを表すために第２のビット数が使用される、請求項５８に記載の装置。
【請求項６１】
前記第１のビット数が前記第２のビット数と同じである、請求項６０に記載の装置。
【請求項６２】
ワイヤレス通信を管理するためのコンピュータプログラム製品であって、前記コンピュータプログラム製品は、
少なくとも２つの変調およびコーディング方式（ＭＣＳ）テーブルの使用をサポートすることと、
ワイヤレスチャネルを介して送信を受信することと、
前記受信された送信のために使用すべき前記少なくとも２つのＭＣＳテーブルのうちの１つを識別することと
を行うようにプロセッサによって実行可能な命令を記憶する非一時的コンピュータ可読媒体を備える、コンピュータプログラム製品。
【請求項６３】
少なくとも２つの変調およびコーディング方式（ＭＣＳ）テーブルの使用をサポートすることと、
前記少なくとも２つのＭＣＳテーブルのうちの１つを識別することと、
送信のためのＭＣＳを識別するために、前記識別されたＭＣＳテーブルを使用することと
を備える、ワイヤレス通信のための方法。
【請求項６４】
チャネル品質インジケータ（ＣＱＩ）値を識別すること
をさらに備え、前記識別されたＭＣＳが、前記受信されたＣＱＩ値に少なくとも部分的に基づく、請求項６３に記載の方法。
【請求項６５】
前記ＭＣＳを識別するために、前記識別されたＭＣＳテーブルを前記使用することが、  ダウンリンク送信のために前記ＭＣＳを選択すること
を備える、請求項６３に記載の方法。
【請求項６６】
前記ＭＣＳを識別するために、前記識別されたＭＣＳテーブルを前記使用することが、  アップリンク送信のために前記ＭＣＳを選択すること
を備える、請求項６３に記載の方法。
【請求項６７】
前記少なくとも２つのＭＣＳテーブルのうちの１つの前記識別がダウンリンク制御情報（ＤＣＩ）フォーマットに少なくとも部分的に基づく、請求項６３に記載の方法。
【請求項６８】
第１のＭＣＳテーブルに基づいて第１のＭＣＳを表すために第１のビット数が使用され、第２のＭＣＳテーブルに基づいて第２のＭＣＳを表すために第２のビット数が使用される、請求項６３に記載の方法。
【請求項６９】
前記第１のビット数が前記第２のビット数と同じである、請求項６８に記載の方法。
【請求項７０】
単一のＭＣＳテーブルを物理ダウンリンク共有チャネル（ＰＤＳＣＨ）の各割当てに関連付けること
をさらに備える、請求項６３に記載の方法。
【請求項７１】
単一の物理ダウンリンク共有チャネル（ＰＤＳＣＨ）を介して送信されるべき少なくとも２つのコードワードを識別することと、
前記少なくとも２つのコードワードのダウンリンク送信のために前記少なくとも２つのＭＣＳテーブルのうちの前記識別された１つを使用することと
をさらに備える、請求項６３に記載の方法。
【請求項７２】
前記送信のために使用されるべき制御チャネルのタイプを識別することと、
制御チャネルの前記識別されたタイプに少なくとも部分的に基づいて、前記送信のために使用すべき前記少なくとも２つのＭＣＳテーブルのうちの１つを識別することと
をさらに備える、請求項６３に記載の方法。
【請求項７３】
制御チャネル送信のための候補のセットを識別することと、
候補の前記識別されたセットに少なくとも部分的に基づいて、前記制御チャネル送信のために使用すべき前記少なくとも２つのＭＣＳテーブルのうちの１つを識別することとをさらに備える、請求項６３に記載の方法。
【請求項７４】
候補の第１のセットが共通探索空間に関連付けられ、候補の第２のセットがユーザ機器固有探索空間に関連付けられる、請求項７３に記載の方法。
【請求項７５】
前記共通探索空間と前記ユーザ機器探索空間の両方に関連付けられた少なくとも１つの候補を識別することと、
あらかじめ定義されたルールに少なくとも部分的に基づいて前記少なくとも２つのＭＣＳテーブルのうちの１つを識別することと
をさらに備える、請求項７４に記載の方法。
【請求項７６】
ワイヤレスチャネル上で発生すべき前記送信のタイプを識別することと、
送信の前記識別されたタイプに少なくとも部分的に基づいて、前記送信のために使用すべき前記少なくとも２つのＭＣＳテーブルのうちの１つを識別することと
をさらに備える、請求項６３に記載の方法。
【請求項７７】
前記少なくとも２つのＭＣＳテーブルのうちの１つを前記識別することが、
前記送信のために使用すべき前記ＭＣＳテーブルを動的に選択すること
を備える、請求項６３に記載の方法。
【請求項７８】
前記ＭＣＳテーブルの前記動的選択が、ダウンリンク制御情報中の情報フィールドによって実施され、ここで、前記情報フィールドが、構成の複数のセットのうちの１つを選択し、ここで、構成の各セットが、ＭＣＳテーブルインジケータと、レートマッチングパラメータおよび擬似コロケーション指示パラメータのうちの少なくとも１つとを含むパラメータを備える、請求項７７に記載の方法。
【請求項７９】
前記少なくとも２つのＭＣＳテーブルのうちの１つを識別することが、
あらかじめ定義された構成設定に従って、前記送信のために使用すべき前記ＭＣＳテーブルを選択すること
を備える、請求項６３に記載の方法。
【請求項８０】
ＭＣＳテーブルがＭＣＳのリスティングを備え、各ＭＣＳが、変調方式およびトランスポートブロックサイズ（ＴＢＳ）のうちの少なくとも１つにマッピングされる、請求項６３に記載の方法。
【請求項８１】
第１のＴＢＳテーブルが第１のＭＣＳテーブルからマッピングされ、第２のＴＢＳテーブルが第２のＭＣＳテーブルからマッピングされ、前記第２のＴＢＳテーブルが、前記第１のＴＢＳテーブル中の最大ＴＢＳよりも大きい少なくとも１つのＴＢＳを備える、請求項８０に記載の方法。
【請求項８２】
前記識別されたＭＣＳテーブルのうちの少なくとも１つが２５６直交振幅変調（ＱＡＭ）をサポートする、請求項６３に記載の方法。
【請求項８３】
プロセッサと、
前記プロセッサと電子通信しているメモリと、
前記メモリに記憶された命令と
を備え、前記命令が、
少なくとも２つの変調およびコーディング方式（ＭＣＳ）テーブルの使用をサポートすることと、
前記少なくとも２つのＭＣＳテーブルのうちの１つを識別することと、
送信のためのＭＣＳを識別するために、前記識別されたＭＣＳテーブルを使用することと
を行うように前記プロセッサによって実行可能である、ワイヤレス通信のための装置。
【請求項８４】
前記命令が、
チャネル品質インジケータ（ＣＱＩ）値を識別する
ように前記プロセッサによって実行可能であり、前記識別されたＭＣＳが、前記受信されたＣＱＩ値に少なくとも部分的に基づく、請求項８３に記載の装置。
【請求項８５】
前記ＭＣＳを識別するために、前記識別されたＭＣＳテーブルを使用するための前記命令が、
ダウンリンク送信のために前記ＭＣＳを選択する
ように前記プロセッサによって実行可能である、請求項８３に記載の装置。
【請求項８６】
前記ＭＣＳを識別するために、前記識別されたＭＣＳテーブルを使用するための前記命令が、
アップリンク送信のために前記ＭＣＳを選択する
ように前記プロセッサによって実行可能である、請求項８３に記載の装置。
【請求項８７】
前記少なくとも２つのＭＣＳテーブルのうちの１つの前記識別がダウンリンク制御情報（ＤＣＩ）フォーマットに少なくとも部分的に基づく、請求項８３に記載の装置。
【請求項８８】
第１のＭＣＳテーブルに基づいて第１のＭＣＳを表すために第１のビット数が使用され、第２のＭＣＳテーブルに基づいて第２のＭＣＳを表すために第２のビット数が使用される、請求項８３に記載の装置。
【請求項８９】
前記第１のビット数が前記第２のビット数と同じである、請求項８３に記載の装置。
【請求項９０】
前記命令が、
単一のＭＣＳテーブルを物理ダウンリンク共有チャネル（ＰＤＳＣＨ）の各割当てに関連付ける
ように前記プロセッサによって実行可能である、請求項８３に記載の装置。
【請求項９１】
前記命令が、
単一の物理ダウンリンク共有チャネル（ＰＤＳＣＨ）を介して送信されるべき少なくとも２つのコードワードを識別することと、
前記少なくとも２つのコードワードのダウンリンク送信のために前記少なくとも２つのＭＣＳテーブルのうちの前記識別された１つを使用することと
を行うように前記プロセッサによって実行可能である、請求項８３に記載の装置。
【請求項９２】
前記命令が、
前記送信のために使用されるべき制御チャネルのタイプを識別することと、
制御チャネルの前記識別されたタイプに少なくとも部分的に基づいて、前記送信のために使用すべき前記少なくとも２つのＭＣＳテーブルのうちの１つを識別することと
を行うように前記プロセッサによって実行可能である、請求項８３に記載の装置。
【請求項９３】
前記命令が、
制御チャネル送信のための候補のセットを識別することと、
候補の前記識別されたセットに少なくとも部分的に基づいて、前記制御チャネル送信のために使用すべき前記少なくとも２つのＭＣＳテーブルのうちの１つを識別することとを行うように前記プロセッサによって実行可能である、請求項８３に記載の装置。
【請求項９４】
候補の第１のセットが共通探索空間に関連付けられ、候補の第２のセットがユーザ機器固有探索空間に関連付けられる、請求項９３に記載の装置。
【請求項９５】
前記命令が、
前記共通探索空間と前記ユーザ機器探索空間の両方に関連付けられた少なくとも１つの候補を識別することと、
あらかじめ定義されたルールに少なくとも部分的に基づいて前記少なくとも２つのＭＣＳテーブルのうちの１つを識別することと
を行うように前記プロセッサによって実行可能である、請求項９４に記載の装置。
【請求項９６】
前記命令が、
ワイヤレスチャネル上で発生すべき前記送信のタイプを識別することと、
送信の前記識別されたタイプに少なくとも部分的に基づいて、前記送信のために使用すべき前記少なくとも２つのＭＣＳテーブルのうちの１つを識別することと
を行うように前記プロセッサによって実行可能である、請求項８３に記載の装置。
【請求項９７】
前記少なくとも２つのＭＣＳテーブルのうちの１つを識別するための前記命令が、
前記送信のために使用すべき前記ＭＣＳテーブルを動的に選択する
ように前記プロセッサによって実行可能である、請求項８３に記載の装置。
【請求項９８】
前記ＭＣＳテーブルの前記動的選択が、ダウンリンク制御情報中の情報フィールドによって実施され、ここで、前記情報フィールドが、構成の複数のセットのうちの１つを選択し、ここで、構成の各セットが、ＭＣＳテーブルインジケータと、レートマッチングパラメータおよび擬似コロケーション指示パラメータのうちの少なくとも１つとを含むパラメータを備える、請求項９７に記載の装置。
【請求項９９】
前記少なくとも２つのＭＣＳテーブルのうちの１つを識別するための前記命令が、
あらかじめ定義された構成設定に従って、前記送信のために使用すべき前記ＭＣＳテーブルを選択する
ように前記プロセッサによって実行可能である、請求項８３に記載の装置。
【請求項１００】
ＭＣＳテーブルがＭＣＳのリスティングを備え、各ＭＣＳが、変調方式およびトランスポートブロックサイズ（ＴＢＳ）のうちの少なくとも１つにマッピングされる、請求項８３に記載の装置。
【請求項１０１】
第１のＴＢＳテーブルが第１のＭＣＳテーブルからマッピングされ、第２のＴＢＳテーブルが第２のＭＣＳテーブルからマッピングされ、前記第２のＴＢＳテーブルが、前記第１のＴＢＳテーブル中の最大ＴＢＳよりも大きい少なくとも１つのＴＢＳを備える、請求項１００に記載の装置。
【請求項１０２】
前記識別されたＭＣＳテーブルのうちの少なくとも１つが２５６直交振幅変調（ＱＡＭ）をサポートする、請求項８３に記載の装置。
【請求項１０３】
少なくとも２つの変調およびコーディング方式（ＭＣＳ）テーブルの使用をサポートするための手段と、
前記少なくとも２つのＭＣＳテーブルのうちの１つを識別するための手段と、
送信のためのＭＣＳを識別するために、前記識別されたＭＣＳテーブルを使用するための手段と
を備える、ワイヤレス通信のための装置。
【請求項１０４】
ダウンリンク送信のために前記ＭＣＳを選択するための手段
をさらに備える、請求項１０３に記載の装置。
【請求項１０５】
アップリンク送信のために前記ＭＣＳを選択するための手段
をさらに備える、請求項１０３に記載の装置。
【請求項１０６】
ワイヤレス通信を管理するためのコンピュータプログラム製品であって、前記コンピュータプログラム製品は、
少なくとも２つの変調およびコーディング方式（ＭＣＳ）テーブルの使用をサポートすることと、
前記少なくとも２つのＭＣＳテーブルのうちの１つを識別することと、
送信のためのＭＣＳを識別するために、前記識別されたＭＣＳテーブルを使用することと
を行うようにプロセッサによって実行可能な命令を記憶する非一時的コンピュータ可読媒体を備える、コンピュータプログラム製品。
【請求項１０７】
少なくとも２つのチャネル品質インジケータ（ＣＱＩ）テーブルの使用をサポートすることと、
ワイヤレスチャネルのためのＣＱＩデータを受信することと、
前記ＣＱＩデータに基づいて、ＣＱＩ値を識別するために使用すべき前記少なくとも２つのＣＱＩテーブルのうちの１つを識別することと
を備える、ワイヤレス通信のための方法。
【請求項１０８】
どのＣＱＩテーブルが識別されたかにかかわらず、前記ＣＱＩ値を表すために同じビット数が使用される、請求項１０７に記載の方法。
【請求項１０９】
前記少なくとも２つのＣＱＩテーブルのうちの１つを前記識別することが、
あらかじめ定義された構成設定に従って、前記ＣＱＩ値を識別するために使用すべき前記ＣＱＩテーブルを選択すること
を備える、請求項１０７に記載の方法。
【請求項１１０】
前記少なくとも２つのＣＱＩテーブルのうちの１つを前記識別することが、
前記ＣＱＩ値を識別するために使用すべき前記ＣＱＩテーブルを動的に選択することを備える、請求項１０７に記載の方法。
【請求項１１１】
プロセッサと、
前記プロセッサと電子通信しているメモリと、
前記メモリに記憶された命令と
を備え、前記命令が、
少なくとも２つのチャネル品質インジケータ（ＣＱＩ）テーブルの使用をサポートすることと、
ワイヤレスチャネルのためのＣＱＩデータを受信することと、
前記ＣＱＩデータに基づいて、ＣＱＩ値を識別するために使用すべき前記少なくとも２つのＣＱＩテーブルのうちの１つを識別することと
を行うように前記プロセッサによって実行可能である、ワイヤレス通信のための装置。
【請求項１１２】
少なくとも２つのチャネル品質インジケータ（ＣＱＩ）テーブルの使用をサポートするための手段と、
ワイヤレスチャネルのためのＣＱＩデータを受信するための手段と、
前記ＣＱＩデータに基づいて、ＣＱＩ値を識別するために使用すべき前記少なくとも２つのＣＱＩテーブルのうちの１つを識別するための手段と
を備える、ワイヤレス通信のための装置。
【請求項１１３】
ワイヤレス通信を管理するためのコンピュータプログラム製品であって、前記コンピュータプログラム製品は、
少なくとも２つのチャネル品質インジケータ（ＣＱＩ）テーブルの使用をサポートすることと、
ワイヤレスチャネルのためのＣＱＩデータを受信することと、
前記ＣＱＩデータに基づいて、ＣＱＩ値を識別するために使用すべき前記少なくとも２つのＣＱＩテーブルのうちの１つを識別することと
を行うようにプロセッサによって実行可能な命令を記憶する非一時的コンピュータ可読媒体を備える、コンピュータプログラム製品。
【発明の詳細な説明】
【技術分野】
【０００１】
相互参照
[0001]  本特許出願は、本出願の譲受人に譲渡された、２０１３年１２月２４日に出願された、「Identifying Modulation and Coding Schemes and Channel Quality Indicators」と題する、Ｃｈｅｎらによる米国特許出願第１４／１４０，０９８号と、２０１３年１月９日に出願された、「Identifying Modulation and Coding Schemes and Channel Quality Indicators」と題する、Ｃｈｅｎらによる米国仮特許出願第６１／７５０，６０１号との優先権を主張する。
【背景技術】
【０００２】
[0002]  以下は、一般にワイヤレス通信に関し、より詳細には、より高次の変調およびコーディング方式（ＭＣＳ：modulation and coding scheme）をサポートするワイヤレス通信システムのためにＭＣＳとワイヤレスチャネルのためのチャネル品質インジケータ（ＣＱＩ：channel quality indicator）値とを示すためのシステムおよび方法に関する。ワイヤレス通信システムは、音声、ビデオ、パケットデータ、メッセージング、ブロードキャストなど、様々なタイプの通信コンテンツを提供するために広く展開されている。これらのシステムは、利用可能なシステムリソース（たとえば、時間、周波数、および電力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムがある。
【０００３】
[0003]  概して、ワイヤレス多元接続通信システムは、各々が複数のモバイルデバイスのための通信を同時にサポートする、いくつかの基地局を含み得る。基地局は、ダウンストリームリンクおよびアップストリームリンク上でモバイルデバイスと通信し得る。各基地局は、セルのカバレージエリアと呼ばれることがあるカバレージ範囲を有する。基地局は、モバイルデバイスにアップストリーム送信のためのリソースを許可し得る。その許可は、ダウンストリームチャネルに関するＣＱＩデータに基づき得る。基地局およびモバイルデバイスは、ＣＱＩデータからのＣＱＩ値、ならびに送信のために使用すべきＭＣＳを決定するために、ＣＱＩ報告テーブルとＭＣＳテーブルとにアクセスし得る。ワイヤレス通信システムが、追加のＭＣＳのそれらのサポートを増加させるので、既存のＣＱＩテーブルおよびＭＣＳテーブルは、その通信システムによってサポートされるこれらの追加のＭＣＳを考慮するデータエントリを含まないことがある。
【発明の概要】
【０００４】
[0004]  説明する機能は、概して、送信のために使用すべき変調およびコーディング方式（ＭＣＳ）を識別するために異なるＭＣＳテーブル間で選択すること、ならびにワイヤレスチャネルに関するチャネル品質インジケータ（ＣＱＩ）値を識別するために異なるＣＱＩテーブル間で選択することを行うための、１つまたは複数の改善されたシステム、方法、および／または装置に関する。一例では、選択されたＭＣＳテーブルは、送信されているトランスポートブロックのサイズをルックアップするために使用され得る。様々なＭＣＳテーブルおよびＣＱＩテーブルは、少なくとも２５６直交振幅変調（ＱＡＭ：Quadrature Amplitude Modulation）までの変調方式をサポートし得る。
【０００５】
[0005]  一例では、ワイヤレス通信のための方法について説明する。少なくとも２つのＣＱＩテーブルの使用がサポートされ得る。少なくとも２つのＣＱＩテーブルのうちの１つが識別され得る。ワイヤレスチャネルのためのＣＱＩ値を生成するために、識別されたＣＱＩテーブルが使用され得る。
【０００６】
[0006]  一構成では、どのＣＱＩテーブルが識別されたかにかかわらず、ＣＱＩ値を表すために同じビット数が使用され得る。ＣＱＩテーブルの識別は、複数のチャネル状態情報（ＣＳＩ：channel state information）識別からの、ＣＳＩの識別に少なくとも部分的に基づき得る。複数のＣＳＩ識別の各々がサブフレームのセットに関連付けられ得、ここで、サブフレームのセットは、半静的構成または半静的指示に少なくとも部分的に基づいて決定され得る。
【０００７】
[0007]  一例では、第１のチャネル状態情報（ＣＳＩ）プロセスのために使用すべき第１のＣＱＩテーブルが識別され得る。第２のＣＳＩプロセスのために使用すべき第２のＣＱＩテーブルが識別され得る。第２のＣＳＩプロセスは第１のＣＳＩプロセスとは異なり得る。
【０００８】
[0008]  少なくとも２つのＣＱＩテーブルのうちの１つを識別することは、あらかじめ定義された構成設定に従って、ＣＱＩ値を生成するために使用すべきＣＱＩテーブルを選択することを含み得る。少なくとも２つのＣＱＩテーブルのうちの１つを識別することは、ＣＱＩ値を生成するために使用すべきＣＱＩテーブルを動的に選択することを含み得る。
【０００９】
[0009]  一例では、ＣＱＩ値が制御チャネルを介して送信されるべきであるのかデータチャネルを介して送信されるべきであるのかに関する決定が行われ得る。ＣＱＩ値が制御チャネルを介して送信されるべきであることを決定すると、使用すべき第１のＣＱＩテーブルが識別され得る。第１のＣＱＩテーブルに基づいてＣＱＩ値を表すために第１のビット数が使用され得る。ＣＱＩ値がデータチャネルを介して送信されるべきであることを決定すると、使用すべき第２のＣＱＩテーブルが識別され得る。第２のＣＱＩテーブルに基づいてＣＱＩ値を表すために第２のビット数が使用され得る。第２のＣＱＩテーブルは第１のＣＱＩテーブルとは異なり得る。さらに、第２のビット数は第１のビット数よりも大きいことがある。
【００１０】
[0010]  一構成では、ＣＱＩ値がＰ−ＣＳＩ報告の一部であるのか非周期チャネル状態情報（Ａ−ＣＳＩ：aperiodic channel state information）報告の一部であるのかに関する決定が行われ得る。ＣＱＩ値がＰ−ＣＳＩ報告の一部場合ことを決定すると、使用すべき第１のＣＱＩテーブルが識別され得る。ＣＱＩ値がＡ−ＣＳＩ報告の一部であることを決定すると、使用すべき第２のＣＱＩテーブルが識別され得る。一例では、第２のＣＱＩテーブルは第１のＣＱＩテーブルとは異なり得る。
【００１１】
[0011]  一例では、第１のＣＱＩテーブルを使用して第１のＣＱＩ値が生成され得る。第２のＣＱＩテーブルを使用して第２のＣＱＩ値が生成され得る。単一のサブフレームにおいてワイヤレスチャネルを介して第１のＣＱＩ値と第２のＣＱＩ値とが送信され得る。
【００１２】
[0012]  少なくとも２つのＣＱＩテーブルは少なくとも１つの共通データエントリを含み得る。ＣＱＩテーブルがＣＱＩ値のリスティングを含み得る。各ＣＱＩ値がスペクトル効率値にマッピングされ得る。一例では、識別されたＣＱＩ報告テーブルのうちの少なくとも１つが２５６直交振幅変調（ＱＡＭ）をサポートし得る。
【００１３】
[0013]  また、ワイヤレス通信のための装置について説明する。本装置は、プロセッサと、プロセッサと電子通信しているメモリとを含み得る。メモリに命令が記憶され得る。命令は、少なくとも２つのＣＱＩ報告テーブルの使用をサポートすることと、少なくとも２つのＣＱＩテーブルのうちの１つを識別することと、ワイヤレスチャネルのためのＣＱＩ値を生成するために、識別されたＣＱＩテーブルを使用することとを行うようにプロセッサによって実行可能であり得る。
【００１４】
[0014]  さらに、ワイヤレス通信のための装置について説明する。本装置は、少なくとも２つのＣＱＩ報告テーブルの使用をサポートするための手段と、少なくとも２つのＣＱＩテーブルのうちの１つを識別するための手段と、ワイヤレスチャネルのためのＣＱＩ値を生成するために、識別されたＣＱＩテーブルを使用するための手段とを含み得る。
【００１５】
[0015]  また、ワイヤレス通信を管理するためのコンピュータプログラム製品について説明する。本コンピュータプログラム製品は、少なくとも２つのチャネルＣＱＩ報告テーブルの使用をサポートすることと、少なくとも２つのＣＱＩテーブルのうちの１つを識別することと、ワイヤレスチャネルのためのＣＱＩ値を生成するために、識別されたＣＱＩテーブルを使用することとを行うようにプロセッサによって実行可能な命令を記憶する非一時的コンピュータ可読媒体を含み得る。
【００１６】
[0016]  さらに、ワイヤレス通信のための方法について説明する。少なくとも２つのＭＣＳテーブルの使用がサポートされる。ワイヤレスチャネルを介して送信が受信され得る。受信された送信のために使用すべき少なくとも２つのＭＣＳテーブルのうちの１つが識別され得る。一例では、受信された送信のために使用すべきＭＣＳを決定するために、識別されたＭＣＳテーブルが使用され得る。
【００１７】
[0017]  第１のトランスポートブロックサイズ（ＴＢＳ：transport block size）テーブルが第１のＭＣＳテーブルからマッピングされ得、第２のＴＢＳテーブルが第２のＭＣＳテーブルからマッピングされ得る。第２のＴＢＳテーブルは、第１のＴＢＳテーブル中の最大ＴＢＳよりも大きい少なくとも１つのＴＢＳを含み得る。一例では、識別されたＭＣＳテーブルからマッピングされたＴＢＳテーブルが識別され得る。受信された送信のサイズを決定するために、識別されたＴＢＳテーブルが使用され得る。
【００１８】
[0018]  少なくとも２つのＭＣＳテーブルのうちの１つを識別することは、ワイヤレスチャネルを介して、受信された送信を送信するために使用される送信のタイプを決定することと、送信のタイプに少なくとも部分的に基づいて、受信された送信のために使用すべき少なくとも２つのＭＣＳテーブルのうちの１つを識別することとを含み得る。
【００１９】
[0019]  少なくとも２つのＭＣＳテーブルのうちの１つを識別することは、受信された送信を送信するために使用される制御チャネルのタイプを識別することと、制御チャネルの識別されたタイプに少なくとも部分的に基づいて、受信された送信のために使用すべき少なくとも２つのＭＣＳテーブルのうちの１つを識別することとをも含み得る。一例では、アップリンク送信のために使用すべきＭＣＳを決定するために、識別されたＭＣＳテーブルが使用され得る。
【００２０】
[0020]  第１のＭＣＳテーブルに基づいて第１のＭＣＳを表すために第１のビット数が使用され得る。第２のＭＣＳテーブルに基づいて第２のＭＣＳを表すために第２のビット数が使用され得る。第１のビット数は第２のビット数と同じであり得る。第２のビット数は第１のビット数よりも大きいことがある。
【００２１】
[0021]  少なくとも２つのＭＣＳテーブルのうちの１つを識別することは、受信された送信のために使用すべきＭＣＳテーブルを動的に選択すること、および／またはあらかじめ定義された構成設定に従って、受信された送信のために使用すべきＭＣＳテーブルを選択することをさらに含み得る。
【００２２】
[0022]  さらに、ワイヤレス通信のための装置について説明する。本装置は、プロセッサと、プロセッサと電子通信しているメモリとを含み得る。メモリに命令が記憶され得る。命令は、少なくとも２つのＭＣＳテーブルの使用をサポートすることと、ワイヤレスチャネルを介して送信を受信することと、受信された送信のために使用すべき少なくとも２つのＭＣＳテーブルのうちの１つを識別することとを行うようにプロセッサによって実行可能であり得る。
【００２３】
[0023]  ワイヤレス通信のためのさらなる装置について説明する。本装置は、少なくとも２つのＭＣＳテーブルの使用をサポートするための手段と、ワイヤレスチャネルを介して送信を受信するための手段と、受信された送信のために使用すべき少なくとも２つのＭＣＳテーブルのうちの１つを識別するための手段とを含み得る。
【００２４】
[0024]  また、ワイヤレス通信を管理するためのコンピュータプログラム製品について説明する。本コンピュータプログラム製品は、少なくとも２つのＭＣＳテーブルの使用をサポートすることと、ワイヤレスチャネルを介して送信を受信することと、受信された送信のために使用すべき少なくとも２つのＭＣＳテーブルのうちの１つを識別することとを行うようにプロセッサによって実行可能な命令を記憶する非一時的コンピュータ可読媒体を含み得る。
【００２５】
[0025]  また、ワイヤレス通信のためのさらなる方法について説明する。少なくとも２つのＭＣＳテーブルの使用がサポートされ得る。少なくとも２つのＭＣＳテーブルのうちの１つが識別され得る。送信のためのＭＣＳを識別するために、識別されたＭＣＳテーブルが使用され得る。
【００２６】
[0026]  一例では、ＣＱＩ値が識別され得る。識別されたＭＣＳは、受信されたＣＱＩ値に少なくとも部分的に基づき得る。ＭＣＳを識別するために、識別されたＭＣＳテーブルを使用することは、ダウンリンク送信のためにＭＣＳを選択することを含み得る。ＭＣＳを識別するために、識別されたＭＣＳテーブルを使用することは、アップリンク送信のためにＭＣＳを選択することを含み得る。
【００２７】
[0027]  一構成では、少なくとも２つのＭＣＳテーブルのうちの１つの識別はダウンリンク制御情報（ＤＣＩ：downlink control information）フォーマットに少なくとも部分的に基づく。第１のＭＣＳテーブルに基づいて第１のＭＣＳを表すために第１のビット数が使用され得る。第２のＭＣＳテーブルに基づいて第２のＭＣＳを表すために第２のビット数が使用され得る。第１のビット数は第２のビット数と同じであり得る。第２のビット数は第１のビット数よりも大きいことがある。
【００２８】
[0028]  一例では、単一のＭＣＳテーブルが物理ダウンリンク共有チャネル（ＰＤＳＣＨ：physical downlink shared channel）の各割当てに関連付けられ得る。単一の物理ダウンリンク共有チャネル（ＰＤＳＣＨ）を介して送信されるべき少なくとも２つのコードワードが識別され得る。少なくとも２つのコードワードのダウンリンク送信のために少なくとも２つのＭＣＳテーブルのうちの識別された１つが使用され得る。
【００２９】
[0029]  一例では、送信のために使用されるべき制御チャネルのタイプが識別され得る。制御チャネルの識別されたタイプに少なくとも部分的に基づいて、送信のために使用すべき少なくとも２つのＭＣＳテーブルのうちの１つが識別され得る。
【００３０】
[0030]  制御チャネル送信のための候補のセットが識別され得る。候補の識別されたセットに少なくとも部分的に基づいて、制御チャネル送信のために使用すべき少なくとも２つのＭＣＳテーブルのうちの１つが識別され得る。候補の第１のセットが共通探索空間に関連付けられ得、候補の第２のセットがユーザ機器固有探索空間に関連付けられ得る。共通探索空間とユーザ機器探索空間の両方に関連付けられた少なくとも１つの候補が識別され得る。あらかじめ定義されたルールに少なくとも部分的に基づいて少なくとも２つのＭＣＳテーブルのうちの１つが識別され得る。
【００３１】
[0031]  一構成では、ワイヤレスチャネル上で行われるべき送信のタイプが識別され得る。送信の識別されたタイプに少なくとも部分的に基づいて、送信のために使用すべき少なくとも２つのＭＣＳテーブルのうちの１つが識別され得る。
【００３２】
[0032]  少なくとも２つのＭＣＳテーブルのうちの１つを識別することは、送信のために使用すべきＭＣＳテーブルを動的に選択することを含み得る。ＭＣＳテーブルの動的選択は、ダウンリンク制御情報中の情報フィールドによって実施され得、ここで、情報フィールドは、構成の複数のセットのうちの１つを選択し得、ここで、構成の各セットは、ＭＣＳテーブルインジケータと、レートマッチングパラメータおよび擬似コロケーション指示パラメータのうちの少なくとも１つとを含むパラメータを含み得る。少なくとも２つのＭＣＳテーブルのうちの１つを識別することは、あらかじめ定義された構成設定に従って、送信のために使用すべきＭＣＳテーブルを選択することを含み得る。
【００３３】
[0033]  一例では、ＭＣＳテーブルがＭＣＳのリスティングを含み得る。各ＭＣＳが、変調方式およびＴＢＳのうちの少なくとも１つにマッピングされ得る。第１のＴＢＳテーブルが第１のＭＣＳテーブルからマッピングされ得、第２のＴＢＳテーブルが第２のＭＣＳテーブルからマッピングされ得る。第２のＴＢＳテーブルは、第１のＴＢＳテーブル中の最大ＴＢＳよりも大きい少なくとも１つのＴＢＳを含み得る。識別されたＭＣＳテーブルのうちの少なくとも１つが２５６ＱＡＭをサポートし得る。
【００３４】
[0034]  また、ワイヤレス通信のための装置について説明する。本装置は、プロセッサと、プロセッサと電子通信しているメモリとを含み得る。メモリに命令が記憶され得る。命令は、少なくとも２つのＭＣＳテーブルの使用をサポートすることと、少なくとも２つのＭＣＳテーブルのうちの１つを識別することと、送信のためのＭＣＳを識別するために、識別されたＭＣＳテーブルを使用することとを行うようにプロセッサによって実行可能であり得る。
【００３５】
[0035]  ワイヤレス通信のためのさらなる装置について説明する。本装置は、少なくとも２つのＭＣＳテーブルの使用をサポートするための手段と、少なくとも２つのＭＣＳテーブルのうちの１つを識別するための手段と、送信のためのＭＣＳを識別するために、識別されたＭＣＳテーブルを使用するための手段とを含み得る。
【００３６】
[0036]  また、ワイヤレス通信を管理するためのコンピュータプログラム製品について説明する。本コンピュータプログラム製品は、少なくとも２つのＭＣＳテーブルの使用をサポートすることと、少なくとも２つのＭＣＳテーブルのうちの１つを識別することと、送信のためのＭＣＳを識別するために、識別されたＭＣＳテーブルを使用することとを行うようにプロセッサによって実行可能な命令を記憶する非一時的コンピュータ可読媒体を含み得る。
【００３７】
[0037]  また、ワイヤレス通信のためのさらなる方法について説明する。少なくとも２つのＣＱＩテーブルの使用がサポートされる。ワイヤレスチャネルのためのＣＱＩデータが受信され得る。ＣＱＩデータに基づいて、ＣＱＩ値を識別するために使用すべき少なくとも２つのＣＱＩテーブルのうちの１つが識別され得る。
【００３８】
[0038]  一例では、どのＣＱＩテーブルが識別されたかにかかわらず、ＣＱＩ値を表すために同じビット数が使用され得る。少なくとも２つのＣＱＩテーブルのうちの１つを識別することは、あらかじめ定義された構成設定に従って、ＣＱＩ値を識別するために使用すべきＣＱＩテーブルを選択することを含み得る。少なくとも２つのＣＱＩテーブルのうちの１つを識別することは、ＣＱＩ値を識別するために使用すべきＣＱＩテーブルを動的に選択することを含み得る。
【００３９】
[0039]  さらに、ワイヤレス通信のための装置について説明する。本装置は、プロセッサと、プロセッサと電子通信しているメモリとを含み得る。メモリに命令が記憶され得る。命令は、少なくとも２つのＣＱＩテーブルの使用をサポートすることと、ワイヤレスチャネルのためのＣＱＩデータを受信することと、ＣＱＩデータに基づいて、ＣＱＩ値を識別するために使用すべき少なくとも２つのＣＱＩテーブルのうちの１つを識別することとを行うようにプロセッサによって実行可能であり得る。
【００４０】
[0040]  ワイヤレス通信のためのさらなる装置について説明する。本装置は、少なくとも２つのＣＱＩテーブルの使用をサポートするための手段と、ワイヤレスチャネルのためのＣＱＩデータを受信するための手段と、ＣＱＩデータに基づいて、ＣＱＩ値を識別するために使用すべき少なくとも２つのＣＱＩテーブルのうちの１つを識別するための手段とを含み得る。
【００４１】
[0041]  また、ワイヤレス通信を管理するためのコンピュータプログラム製品について説明する。本コンピュータプログラム製品は、少なくとも２つのＣＱＩテーブルの使用をサポートすることと、ワイヤレスチャネルのためのＣＱＩデータを受信することと、ＣＱＩデータに基づいて、ＣＱＩ値を識別するために使用すべき少なくとも２つのＣＱＩテーブルのうちの１つを識別することとを行うようにプロセッサによって実行可能な命令を記憶する非一時的コンピュータ可読媒体を含み得る。
【００４２】
[0042]  説明する方法および装置の適用性のさらなる範囲は、以下の発明を実施するための形態、特許請求の範囲、および図面から明らかになろう。当業者には発明を実施するための形態の趣旨および範囲内の様々な変更および改変が明らかになるので、発明を実施するための形態および特定の例は、例示として与えられるものにすぎない。
【００４３】
[0043]  以下の図面を参照すれば、本発明の性質および利点のさらなる理解が得られ得る。添付の図において、同様の構成要素または特徴は同じ参照ラベルを有し得る。さらに、同じタイプの様々な構成要素は、参照ラベルの後に、ダッシュと、それらの同様の構成要素同士を区別する第２のラベルとを続けることによって区別され得る。第１の参照ラベルのみが明細書において使用される場合、その説明は、第２の参照ラベルにかかわらず、同じ第１の参照ラベルを有する同様の構成要素のうちのいずれか１つに適用可能である。
【図面の簡単な説明】
【００４４】
【図１】[0044]  ワイヤレス通信システムのブロック図。
【図２】[0045]  本システムおよび方法による、ＵＥの一例を示すブロック図。
【図３】[0046]  ＵＥのさらなる例を示すブロック図。
【図４Ａ】[0047]  本システムおよび方法の機能を実装するためのＵＥのさらなる例を示すブロック図。
【図４Ｂ】[0048]  本システムおよび方法による、ＣＱＩテーブルの２つの例の一例の図。
【図４Ｃ】[0049]  本システムおよび方法による、ＭＣＳテーブルの２つの例の一例の図。
【図５】[0050]  ｅＮＢの一例のブロック図。
【図６】[0051]  ｅＮＢのさらなる例のブロック図。
【図７】[0052]  本システムおよび方法の機能を実装するためのｅＮＢの一例を示すブロック図。
【図８】[0053]  ｅＮＢとモバイルデバイスとを含むＭＩＭＯ通信システムのブロック図。
【図９】[0054]  追加のＣＱＩテーブルをサポートすることによってより高次のＭＣＳのためのワイヤレス通信を管理するための方法のフローチャート。
【図１０】[0055]  送信の媒体に基づいて異なるＣＱＩテーブルを選択するための方法のフローチャート。
【図１１】[0056]  ＣＱＩ値の報告スケジュールに基づいて異なるＣＱＩテーブル間で選択するための方法のフローチャート。
【図１２】[0057]  受信された送信のためのＭＣＳを識別するためにＭＣＳテーブルを選択するための方法のフローチャート。
【図１３】[0058]  受信された送信のためのＭＣＳならびにその送信のサイズを識別するためにＭＣＳテーブルを選択するための方法のフローチャート。
【図１４】[0059]  送信のためのＭＣＳを識別するために異なるＭＣＳテーブル間で選択するための方法のフローチャート。
【図１５】[0060]  異なるＭＣＳテーブルをトランスポートブロックサイズ（ＴＢＳ）テーブルにマッピングし、ダウンリンク制御情報（ＤＣＩ）フォーマットに基づいてＭＣＳテーブルを選択するための方法のフローチャート。
【図１６】[0061]  受信されたＣＱＩデータに基づくＣＱＩ値を識別するためにＣＱＩテーブルを選択するための方法のフローチャート。
【発明を実施するための形態】
【００４５】
[0062]  ワイヤレス通信規格は、ダウンリンクおよびアップリンク送信のための様々な変調およびコーディング方式をサポートし得る。一構成では、４位相シフトキーイング（ＱＰＳＫ）、１６ＱＡＭ、および６４ＱＡＭが、ワイヤレス通信規格によってサポートされる方式の例であり得る。一例では、送信のために使用されるべきＭＣＳを表すために５ビットが使用され得る。５ビットＭＣＳを使用することは、送信のために選択するための最高３２個の可能なＭＣＳを与え得る。５ビットＭＣＳに基づくＭＣＳテーブルが、０〜から３１までのＭＣＳインデックスのリストを含み得る。各インデックスは、送信のために使用されるべき少なくとも１つの変調方式に対応し得る。さらに、各ＭＣＳインデックスは少なくとも１つのトランスポートブロックサイズ（ＴＢＳ）ルックアップインデックスにマッピングされ得る。ＴＢＳルックアップインデックスは、対応するＭＣＳを使用して送信されるべきトランスポートブロックのサイズを示し得る。
【００４６】
[0063]  さらに、チャネル品質インジケータ（ＣＱＩ）テーブルが、ワイヤレスチャネルのためのＣＱＩ値を識別するために使用され得る。ＵＥが、ＣＱＩメッセージを使用してチャネル品質に関して報告するように構成され得る。ＬＴＥ（登録商標）では、ＣＱＩの周期報告と非周期（またはイベントトリガ）報告の両方がサポートされる。ＣＱＩメッセージは、２次コンポーネントキャリア（ＳＣＣ：secondary component carrier）上ではなく、１次コンポーネントキャリア上で物理アップリンク制御チャネル（ＰＵＣＣＨ：physical uplink control channel）上で送信され得る。代替または追加として、ＰＵＣＣＨは、２つ以上のキャリアがマルチフロー動作の一部として理想的なバックホールを有しないとき、または異なるキャリア上でＰＵＣＣＨオーバーヘッドを分散する必要があるとき、２次コンポーネントキャリア上で送信され得る。ＣＱＩ値は、次いで、ワイヤレスチャネル上での送信のために使用すべき特定のＭＣＳを選択するために使用され得る。現在、ＣＱＩ値は、４ビットなどのビット数を使用して表され得る。ＣＱＩテーブルは、（ＣＱＩ値を表すために４ビットが使用される場合）１６個の可能なＣＱＩ値に対応するＣＱＩインデックスのリスティングを含み得る。各ＣＱＩインデックス値は、ＭＣＳを選択するために使用され得る追加のデータにマッピングされ得る。
【００４７】
[0064]  一例では、ワイヤレス通信規格が少なくとも２５６ＱＡＭまでの方式をサポートし得る。追加のＭＣＳテーブルおよびＣＱＩテーブルが、これらの追加の変調方式を可能にするために使用され得る。ワイヤレス通信システムにおけるデバイスは、ワイヤレスチャネルのＣＱＩ値とそのワイヤレスチャネル上での送信のために使用すべき適切なＭＣＳとを識別するために使用すべき適切なＣＱＩテーブルとＭＣＳテーブルとを選択し得る。
【００４８】
[0065]  以下の説明は、例を与えるものであり、特許請求の範囲に記載された範囲、適用可能性、または構成を限定するものではない。本開示の趣旨および範囲から逸脱することなく、説明する要素の機能および構成において変更が行われ得る。様々な例は、適宜に様々なプロシージャまたは構成要素を省略、置換、または追加し得る。たとえば、説明する方法は、説明する順序とは異なる順序で実施され得、様々なステップが追加、省略、または組み合わせられ得る。また、いくつかの例に関して説明する特徴は、他の例において組み合わせられ得る。
【００４９】
[0066]  最初に図１を参照すると、図に、ワイヤレス通信システム１００の一例が示されている。システム１００は、基地局（またはセル）１０５と、通信デバイス１１５と、コアネットワーク１３０とを含む。基地局１０５は、様々な例ではコアネットワーク１３０または基地局１０５の一部であり得る、基地局コントローラの制御下で通信デバイス１１５と通信し得る。基地局１０５は、バックホールリンク１３２を介してコアネットワーク１３０と制御情報および／またはユーザデータを通信し得る。いくつかの例では、基地局１０５は、ワイヤードまたはワイヤレス通信リンクであり得るバックホールリンク１３４を介して互いと直接または間接的に通信し得る。システム１００は、複数のキャリア（異なる周波数の波形信号）上での動作をサポートし得る。様々な例によれば、（キャリアアグリゲーションとも呼ばれる）マルチキャリアシステムにおいて動作しているＵＥは、「１次キャリア」と呼ばれることがある同じキャリア上で、制御機能およびフィードバック機能など、複数のキャリアのいくつかの機能をアグリゲートするように構成される。サポートのために１次キャリアに依存する残りのキャリアは、関連する２次キャリアと呼ばれる。たとえば、ＵＥは、随意の専用チャネル（ＤＣＨ：dedicated channel）、スケジュールされない許可、物理アップリンク制御チャネル（ＰＵＣＣＨ）、および／または物理ダウンリンク制御チャネル（ＰＤＣＣＨ：physical downlink control channel）によって提供される制御機能などの制御機能をアグリゲートし得る。マルチキャリア送信機は、複数のキャリア上で同時に被変調信号を送信し得る。たとえば、各通信リンク１２５は、様々な無線技術に従って変調されたマルチキャリア信号であり得る。各被変調信号は、異なるキャリア上で送られ得、制御情報（たとえば、基準信号、制御チャネルなど）、オーバーヘッド情報、データなどを搬送し得る。
【００５０】
[0067]  基地局１０５は、１つまたは複数の基地局アンテナを介してデバイス１１５とワイヤレス通信し得る。基地局１０５サイトの各々は、それぞれの地理的エリア１１０に通信カバレージを与え得る。いくつかの例では、基地局１０５は、基地トランシーバ局、無線基地局、アクセスポイント、無線トランシーバ、基本サービスセット（ＢＳＳ）、拡張サービスセット（ＥＳＳ）、ノードＢ、発展型ノードＢ（ｅノードＢまたはｅＮＢ）、ホームノードＢ、ホームｅノードＢ、または何らかの他の好適な用語で呼ばれることがある。基地局のためのカバレージエリア１１０は、カバレージエリアの一部分のみを構成するセクタに分割され得る。システム１００は、異なるタイプの基地局１０５（たとえば、マクロ基地局、マイクロ基地局、および／またはピコ基地局）を含み得る。異なる技術のための重複するカバレージエリアがあり得る。
【００５１】
[0068]  いくつかの例では、システム１００はＬＴＥ／ＬＴＥ−Ａネットワークであり得る。ＬＴＥ／ＬＴＥ−Ａネットワークでは、発展型ノードＢ（ｅＮＢ）およびユーザ機器（ＵＥ）という用語は、概して、それぞれ基地局１０５およびデバイス１１５について説明するために使用され得る。システム１００は、異なるタイプのｅＮＢがその中で様々な地理的領域にカバレージを与える、異種（Heterogeneous）ＬＴＥ／ＬＴＥ−Ａネットワークであり得る。たとえば、各ｅＮＢ１０５は、マクロセル、ピコセル、フェムトセル、および／または他のタイプのセルに通信カバレージを与え得る。マクロセルは、概して、比較的大きい地理的エリア（たとえば、半径数キロメートル）をカバーし、ネットワークプロバイダのサービスに加入しているＵＥによる無制限アクセスを可能にし得る。ピコセルは、概して、比較的小さい地理的エリアをカバーすることになり、ネットワークプロバイダのサービスに加入しているＵＥによる無制限アクセスを可能にし得る。また、フェムトセルは、概して、比較的小さい地理的エリア（たとえば、自宅）をカバーすることになり、無制限アクセスに加えて、フェムトセルとの関連を有するＵＥ（たとえば、限定加入者グループ（ＣＳＧ：closed subscriber group）中のＵＥ、自宅内のユーザのためのＵＥなど）による制限付きアクセスをも可能にし得る。マクロセルのためのｅＮＢはマクロｅＮＢと呼ばれることがある。ピコセルのためのｅＮＢはピコｅＮＢと呼ばれることがある。また、フェムトセルのためのｅＮＢはフェムトｅＮＢまたはホームｅＮＢと呼ばれることがある。ｅＮＢは、１つまたは複数の（たとえば、２つ、３つ、４つなどの）セルをサポートし得る。一例では、ｅＮＢ１０５は、ＵＥ１１５への送信のために使用すべき様々な変調およびコーディング方式（ＭＣＳ）間で選択する。選択されたＭＣＳは、ＵＥ１１５から報告されたチャネル品質インジケータ（ＣＱＩ）値に少なくとも部分的に基づき得る。ｅＮＢ１０５は、ＵＥ１１５から受信されたＣＱＩ値に対応するテーブルを識別するために様々なＣＱＩテーブル間で選択し得る。ｅＮＢ１０５はまた、ダウンリンク上での送信および／またはアップリンク上での送信のためにＭＣＳがそれから識別され得るテーブルを識別するために様々なＭＣＳテーブル間で選択し得る。選択されたＭＣＳテーブルは、ＵＥ１１５から受信されたＣＱＩ値に少なくとも部分的に基づき得る。
【００５２】
[0069]  コアネットワーク１３０は、バックホール１３２（たとえば、Ｓ１など）を介してｅＮＢ１０５と通信し得る。ｅＮＢ１０５はまた、たとえば、バックホールリンク１３４（たとえば、Ｘ２など）を介しておよび／またはバックホールリンク１３２を介して（たとえば、コアネットワーク１３０を介して）、直接的または間接的に、互いと通信し得る。ワイヤレスシステム１００は、同期動作または非同期動作をサポートし得る。同期動作の場合、ｅＮＢは同様のフレームタイミングを有し得、異なるｅＮＢからの送信は近似的に時間的に整合され得る。非同期動作の場合、ｅＮＢは異なるフレームタイミングを有し得、異なるｅＮＢからの送信は時間的に整合されないことがある。本明細書で説明する技法は、同期動作または非同期動作のいずれかのために使用され得る。
【００５３】
[0070]  ＵＥ１１５は、ワイヤレスシステム１００全体にわたって分散され得、各ＵＥは固定または移動であり得る。ＵＥ１１５は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥは、マクロｅＮＢ、ピコｅＮＢ、フェムトｅＮＢ、リレーなどと通信することが可能であり得る。一構成では、ＵＥ１１５は、ｅＮＢ１０５に報告すべきＣＱＩ値を生成するために使用すべきテーブルを識別するために様々なＣＱＩテーブル間で選択することが可能であり得る。さらに、ＵＥ１１５は、ダウンリンク送信のために使用されているＭＣＳを識別するために、および／またはＵＥ１１５がアップリンク送信のために使用し得るＭＣＳを識別するために、使用すべきＭＣＳテーブルを識別するために様々なＭＣＳテーブル間で選択することが可能であり得る。
【００５４】
[0071]  ネットワーク１００中に示された送信リンク１２５は、モバイルデバイス１１５から基地局１０５へのアップリンク送信、および／または基地局１０５からモバイルデバイス１１５へのダウンリンク送信を含み得る。ダウンリンク送信は順方向リンク送信と呼ばれることもあり、アップリンク送信は逆方向リンク送信と呼ばれることもある。ワイヤレスシステム１００についてＬＴＥ／ＬＴＥアドバンストアーキテクチャに関して説明したが、本開示全体にわたって提示する様々な概念は他のタイプのワイヤレスネットワークに拡張され得ることを、当業者は容易に諒解されよう。
【００５５】
[0072]  図２は、本システムおよび方法による、ＵＥ１１５−ａの一例を示すブロック図２００である。ＵＥ１１５−ａは、図１のＵＥ１１５の一例であり得る。ＵＥ１１５−ａは、ＵＥ受信機モジュール２０５と、ＵＥテーブル選択モジュール２１０と、ＵＥ送信機モジュール２１５とを含み得る。これらの構成要素の各々は互いと通信していることがある。
【００５６】
[0073]  ＵＥ１１５−ａのこれらの構成要素は、個別にまたは集合的に、ハードウェア中の適用可能な機能の一部または全部を実施するように適応された１つまたは複数の特定用途向け集積回路（ＡＳＩＣ）を用いて実装され得る。代替的に、それらの機能は、１つまたは複数の他の処理ユニット（またはコア）によって、１つまたは複数の集積回路上で実施され得る。他の例では、当技術分野で知られている任意の様式でプログラムされ得る他のタイプの集積回路（たとえば、ストラクチャードＡＳＩＣ／プラットフォームＡＳＩＣ、フィールドプログラマブルゲートアレイ（ＦＰＧＡ）、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。
【００５７】
[0074]  一構成では、受信機モジュール２０５は、セルラー受信機を含み得、ｅＮＢ１０５からの送信を受信し得る。ＵＥテーブル選択モジュール２１０は、ある情報を生成および／または識別するために使用すべきテーブルの選択を制御し得る。テーブルの選択は、ＵＥ１１５−ａのあらかじめ定義された構成設定に基づき得る。一例では、選択モジュール２１０は、１つまたは複数のファクタに基づいて、使用すべきテーブルを動的に選択し得る。場合によっては、選択されたテーブルから生じる生成および／または識別された情報はＵＥ送信機モジュール２１５を介して送信され得る。ＵＥテーブル選択モジュール２１０に関する詳細については以下で説明する。
【００５８】
[0075]  図３は、本システムおよび方法による、ＵＥ１１５−ｂの一例を示すブロック図３００である。ＵＥ１１５−ｂは、図１および／または図２に示されたＵＥ１１５の一例であり得る。ＵＥ１１５−ｂは、前に説明したように、ＵＥ受信機モジュール２０５と、ＵＥテーブル選択モジュール２１０−ａと、ＵＥ送信機モジュール２１５とを含み得る。これらの構成要素の各々は互いと通信していることがある。
【００５９】
[0076]  ＵＥ１１５−ｂのこれらの構成要素は、個別にまたは集合的に、ハードウェア中の適用可能な機能の一部または全部を実施するように適応された１つまたは複数の特定用途向け集積回路（ＡＳＩＣ）を用いて実装され得る。代替的に、それらの機能は、１つまたは複数の他の処理ユニット（またはコア）によって、１つまたは複数の集積回路上で実施され得る。他の例では、当技術分野で知られている任意の様式でプログラムされ得る他のタイプの集積回路（たとえば、ストラクチャードＡＳＩＣ／プラットフォームＡＳＩＣ、フィールドプログラマブルゲートアレイ（ＦＰＧＡ）、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。
【００６０】
[0077]  一例では、ＵＥ１１５−ｂは、少なくとも２つのＣＱＩテーブルの使用をサポートし得る。一構成では、ＵＥテーブル選択モジュール２１０−ａはＣＱＩテーブル選択モジュール３０５を含み得る。ＣＱＩテーブル選択モジュール３０５は、ＵＥ１１５−ｂによってサポートされるＣＱＩテーブルのうちの１つを識別し得る。識別されたテーブルは、ワイヤレスチャネルのためのＣＱＩ値を生成するために使用され得る。ＣＱＩ値を表すためにビット数が使用され得る。一例では、生成されたＣＱＩ値を表すために使用されるビット数は、ＣＱＩテーブル選択モジュール３０５によって識別されたＣＱＩテーブルにかかわらず、同じままであり得る。たとえば、ＣＱＩ値を表すために４ビットが使用され得る。４ビットを使用することによって、ＣＱＩ値は、単一のＣＱＩテーブル上の１６個の可能なインデックス値のうちの１つであり得る。ＣＱＩインデックス値は、受信された送信および／または送信されるべき送信のために使用すべきＭＣＳを識別するために使用されるファクタであり得る。ワイヤレス通信規格が、送信のために使用され得るＭＣＳのタイプを増加させるので、ＣＱＩ値が依然として４ビットによって表されることを可能にするために、追加のＣＱＩテーブルが使用され得る。
【００６１】
[0078]  複数のＣＱＩテーブルの使用をサポートすることに加えて、ＵＥ１１５−ｂは、少なくとも２つのＭＣＳテーブルの使用をもサポートし得る。ＵＥテーブル選択モジュール２１０−ａはＭＣＳテーブル選択モジュール３１０を含み得る。ＵＥ受信機モジュール２０５によって受信された送信は、送信デバイス（たとえば、ｅＮＢ１０５）において特定のＭＣＳを使用して変調され、符号化されていることがある。送信を受信すると、ＭＣＳテーブル選択モジュール３１０は、受信された送信のために使用すべき少なくとも２つのＭＣＳテーブルのうちの１つを選択し得る。一例では、識別されたＭＣＳテーブルは、送信された情報を復調し、復号するために、受信された送信に適用されるべきＭＣＳを決定するために、使用され得る。さらに、ＵＥ１１５−ｂが、アップリンクを介してｅＮＢ１０５に送信されるべき情報を有するとき、ｅＮＢ１０５は、アップリンク送信のために使用すべきＵＥ１１５−ｂのための特定のＭＣＳを割り当て得る。ＭＣＳテーブル選択モジュール３１０は、特定のＭＣＳテーブルを選択し、次いで、選択されたＭＣＳテーブルに基づいて、使用すべき割り当てられたＭＣＳを識別し得る。
【００６２】
[0079]  さらに、識別されたＭＣＳテーブルは、受信された送信のサイズを識別するためにも使用され得る。たとえば、その送信は、特定のサイズのトランスポートブロック（すなわち、コードワード）を含み得る。これは本明細書ではトランスポートブロックサイズ（ＴＢＳ）と呼ばれることがある。一例では、トランスポートブロックのサイズを示すＴＢＳテーブルが、ＵＥ１１５−ｂによってサポートされる特定のＭＣＳテーブルからマッピングされ得る。受信された送信のために使用すべきＭＣＳを決定するために使用すべきＭＣＳテーブルを識別すると、ＭＣＳテーブル選択モジュール３１０は、選択されたＭＣＳテーブルからマッピングされたＴＢＳテーブルをルックアップするために、選択されたＭＣＳテーブルを使用し得る。その結果、ＵＥ１１５−ｂは、受信されたトランスポートブロックのサイズを決定し得る。
【００６３】
[0080]  図４は、本システムおよび方法による、ＵＥ１１５−ｃの一例を示すブロック図４００である。ＵＥ１１５−ｃは、図１、図２、および／または図３に示されたＵＥ１１５の一例であり得る。一構成では、ＵＥ１１５−ｃは、ＵＥ受信機モジュール２０５と、ＵＥテーブル選択モジュール２１０−ｂと、ＣＱＩ値生成モジュール４２５と、ＭＣＳ識別モジュール４３０と、ＵＥ送信機モジュール２１５とを含み得る。これらの構成要素の各々は互いと通信していることがある。
【００６４】
[0081]  ＵＥ１１５−ｃのこれらの構成要素は、個別にまたは集合的に、ハードウェア中の適用可能な機能の一部または全部を実施するように適応された１つまたは複数の特定用途向け集積回路（ＡＳＩＣ）を用いて実装され得る。代替的に、それらの機能は、１つまたは複数の他の処理ユニット（またはコア）によって、１つまたは複数の集積回路上で実施され得る。他の例では、当技術分野で知られている任意の様式でプログラムされ得る他のタイプの集積回路（たとえば、ストラクチャードＡＳＩＣ／プラットフォームＡＳＩＣ、フィールドプログラマブルゲートアレイ（ＦＰＧＡ）、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。
【００６５】
[0082]  一構成では、ＵＥテーブル選択モジュール２１０−ｂはＣＱＩテーブル選択モジュール３０５−ａを含み得る。モジュール３０５−ａは、複数のＣＱＩテーブルから、１つのＣＱＩテーブルを選択し得る。選択されたテーブルは、次いで、ダウンリンクチャネルなど、ワイヤレスチャネルのためのＣＱＩ値を生成するためにＣＱＩ値生成モジュール４２５によって使用され得る。
【００６６】
[0083]  一例では、ＵＥ１１５−ｃは、レガシーＣＱＩテーブル（たとえば、ＱＰＳＫ、１６ＱＡＭ、および６４ＱＡＭ方式のために使用されるテーブル）と、２５６ＱＡＭなど、より高次の方式のために使用される新しいＣＱＩテーブルとの使用をサポートし得る。より低次の方式のために使用されるレガシーＣＱＩテーブルの一例を表１として以下に示す。
【表１】
2018152880.tif 000003
【００６７】
[0084]  新しいテーブルは、レガシーテーブルと比較して拡張されたスペクトル効率を含み得る。一例では、新しいＣＱＩテーブルは、非一様スペクトル効率エントリ（たとえば、高いスペクトル効率における細粒度および低いスペクトル効率における粗粒度）を含み得る。また、異なるＣＱＩテーブルは、ｅＮＢ１０５によって使用される異なるダウンリンクチャネル情報（ＤＣＩ）フォーマットに関連付けられ得る。たとえば、レガシーＣＱＩテーブルはＤＣＩフォーマット１Ａに関連付けられ得、新しいＣＱＩテーブルはＤＣＩフォーマット２Ｄに関連付けられ得る。異なるタイプの制御情報は異なるＤＣＩメッセージサイズに対応する。したがって、ＤＣＩは異なるＤＣＩフォーマットにカテゴリー分類され、ここで、あるフォーマットがあるメッセージサイズに対応する。物理ダウンリンク制御チャネル（ＰＤＣＣＨ）は、ＵＥへのリソースの割振りをシグナリングするダウンリンク制御情報（ＤＣＩ）を搬送するために使用される。一構成では、レガシーＣＱＩテーブルと新しいＣＱＩテーブルは、それらの間で１つまたは複数の共通データエントリを有し得る。より高次の方式のために使用される新しいＣＱＩテーブルの一例を表２として以下に示す。
【表２】
2018152880.tif 000004
【００６８】
[0085]  一構成では、ＵＥ１１５−ｃによって生成され、報告される各ＣＱＩ値が単一のＣＱＩテーブルに基づき得る。たとえば、ＵＥ１１５−ｃは、無線リソース制御（ＲＲＣ）プロトコルに従って単一のＣＱＩテーブルを使用し得る。前に説明したように、ＵＥ１１５−ｃは、２つ以上のＣＱＩテーブルをサポートし得、様々なファクタに基づいて、どのテーブルを使用すべきかを決定し得る。
【００６９】
[0086]  一例では、ＣＱＩテーブル選択モジュールは、チャネル状態情報（ＣＳＩ）報告識別モジュール４０５と、チャネル識別モジュール４１０とを含み得る。一構成では、ＣＳＩ報告識別モジュール４０５は、複数の周期チャネル状態情報（Ｐ−ＣＳＩ：periodic channel state information）識別からＰ−ＣＳＩを識別し得る。一構成では、２つのＰ−ＣＳＩセットが識別され得る。第１のＰ−ＣＳＩセットはレガシーＣＱＩテーブルに関連付けられ得、第２のＰ−ＣＳＩセットは新しいＣＱＩテーブルに関連付けられ得る。一例として、第１のＰ−ＣＳＩセットが制限付きＣＳＩ測定サブフレームセット１に関連付けられ得、第２のＰ−ＣＳＩセットが制限付きＣＳＩ測定サブフレームセット２に関連付けられ得、ここで、それら２つの制限付き測定サブフレームセットは上位レイヤによって構成される。別の例として、時分割複信（ＴＤＤ）システムでは、第１のＰ−ＣＳＩセットが測定サブフレームのセットに関連付けられ得、ここで、サブフレームのセットは送信方向（ダウンリンクまたはアップリンク）の動的変化を受け、第２のＰ−ＣＳＩセットが測定のためのダウンリンクサブフレームのセットに関連付けられ得、ここで、サブフレームのセットは送信方向の動的変化を受けない。同様に、ＣＳＩ報告識別モジュール４０５は、複数の非周期チャネル状態情報（Ａ−ＣＳＩ）識別からＡ−ＣＳＩを識別し得る。一構成では、２つのＡ−ＣＳＩセットが識別され得る。第１のＡ−ＣＳＩセットはレガシーＣＱＩテーブルに関連付けられ得、第２のＡ−ＣＳＩセットは新しいＣＱＩテーブルに関連付けられ得る。
【００７０】
[0087]  ＣＳＩモジュール４０５は１つまたは複数のＣＳＩプロセスをも識別し得、ＣＱＩテーブル選択モジュール３０５−ａは、各異なるＣＳＩプロセスのために使用すべき異なるＣＱＩテーブルを選択し得る。たとえば、ＣＳＩ報告識別モジュール４０５は、第１のＣＳＩプロセスと第２のＣＳＩプロセスとを識別し得る。ＣＱＩテーブル選択モジュール３０５−ａは、第１のＣＳＩプロセスのために使用すべき第１のＣＱＩテーブルと第２のＣＳＩプロセスのために使用すべき第２のＣＱＩテーブルとを識別し得る。
【００７１】
[0088]  一構成では、ＣＳＩ報告識別モジュール４０５は、ＣＱＩ値がＰ−ＣＳＩ報告の一部であるべきであるかどうか、またはそれが非周期ＣＳＩ（Ａ−ＣＳＩ）報告の一部であるべきであるかどうかをも決定し得る。この決定に基づいて、ＣＱＩテーブル選択モジュール３０５−ａは、（第１のＣＱＩテーブルからベースの）ＣＱＩ値がＰ−ＣＳＩ報告の一部であるべきである場合、使用すべき第１のＣＱＩテーブルを選択し得、または、モジュール３０５−ａは、（第２のＣＱＩテーブルからベースの）ＣＱＩ値がＡ−ＣＳＩ報告の一部であるべきである場合、使用すべき第２のＣＱＩテーブルを選択し得る。
【００７２】
[0089]  一例では、ＣＱＩテーブル選択モジュール３０５−ａはチャネル識別モジュール４１０をも含み得る。モジュール４１０は、ＣＱＩ値を送信するために使用されるべきチャネルのタイプを決定し得る。たとえば、モジュール４１０は、ＣＱＩ値が制御チャネルを介して送信されるべきであるのかデータチャネルを介して送信されるべきであるのかを決定し得る。ＣＱＩ値が制御チャネルを介して送信されるべきである場合、ＣＱＩテーブル選択モジュール３０５−ａは、ＣＱＩ値を生成するために使用すべき第１のＣＱＩテーブルを識別し得る。一例では、第１のテーブルから生成されたＣＱＩ値は、限定はしないが、４ビットなど、第１のビット数によって表され得る。ＣＱＩ値がデータチャネルを介して送信されるべきである場合、ＣＱＩテーブル選択モジュール３０５−ａは、使用すべき第２のＣＱＩテーブルを識別し得る。第２のテーブルは第１のテーブルとは異なり得、第２のＣＱＩテーブルから生成されたＣＱＩ値は、第１のテーブルを使用して生成されたＣＱＩ値とは異なるビット数によって表され得る。一例では、第１のテーブルが、４ビットＣＱＩ値を生成するために使用される場合、第２のテーブルは、５ビットＣＱＩ値を生成するために使用され得る。一例では、ＣＱＩ値を表すために使用されるビット数は、その値を生成するために使用するために選択されたＣＱＩテーブルにかかわらず、同じままであり得る。
【００７３】
[0090]  一例では、ランクの第１のセット（たとえば、ランク１）が第１のＣＱＩテーブルに関連付けられ得、ランクの第２のセット（たとえば、ランク２以上）が第２のＣＱＩテーブルに関連付けられ得る。
【００７４】
[0091]  一例では、ＵＥは、どのＣＱＩテーブルが使用されるべきかを動的に示され得る。一例として、２つのＣＱＩテーブルのうちのどちらのＣＱＩテーブルが非周期ＣＱＩ報告のために使用されるべきかを示すために、１ビット情報フィールドがダウンリンク制御情報（ＤＣＩ）中に含まれ得る。
【００７５】
[0092]  いくつかの例では、ＵＥ１１５−ｃは、単一のサブフレームにおいて複数のＣＱＩテーブルを使用して複数のＣＱＩ値を生成し、報告し得る。一例では、第１のＣＱＩテーブルを使用してＣＱＩ値生成モジュール４２５によって第１のＣＱＩ値が生成され得る。モジュール４２５は、第１のＣＱＩテーブルとは異なる第２のＣＱＩテーブルを使用して第２のＣＱＩ値をも生成し得る。それら２つのＣＱＩ値は、たとえば、ＵＥ送信機モジュール２１５を介して単一のサブフレーム中に、ｅＮＢ１０５に送信され得る。
【００７６】
[0093]  一構成では、各ＣＱＩテーブルがＣＱＩインデックス値のリスティングを含み得る。各インデックス値はＣＱＩ値を表し得る。ワイヤレス通信のための規格がより高次のＭＣＳをサポートするので、これらのより高次の方式を含む追加のＣＱＩテーブルが使用され得る。追加のＣＱＩテーブルの使用は、ＣＱＩ値が、その値を表すために同じビット幅を使用し続けることを可能にし得る。各ＣＱＩインデックス値はスペクトル効率値にマッピングされ得る。前述のように、ＣＱＩテーブルのうちの少なくとも１つが非一様スペクトル効率データエントリを含み得る。
【００７７】
[0094]  一構成では、ＵＥテーブル選択モジュール２１０−ｂはＭＣＳテーブル選択モジュール３１０−ａをも含み得る。モジュール３１０−ａは、複数のＭＣＳテーブルから、１つのＭＣＳテーブルを識別し得る。識別されたテーブルは、次いで、アップリンクチャネルなど、ワイヤレスチャネル上で送信されるべきである受信された送信または送信のために使用すべきＭＣＳを識別するためにＭＣＳ識別モジュール４３０によって使用され得る。
【００７８】
[0095]  一例では、ＵＥ１１５−ｃは、レガシーＭＣＳテーブル（たとえば、ＱＰＳＫ、１６ＱＡＭ、および６４ＱＡＭ方式のために使用されるテーブル）と、２５６ＱＡＭなど、より高次の方式のために使用される新しいＭＣＳテーブルとの使用をサポートし得る。より低次の方式のために使用されるレガシーＭＣＳテーブルの一例を表３として以下に示す。表３は、いくつかのＭＣＳインデックスと、各ＭＣＳインデックス値について対応する変調次数（modulation order）と、対応するＴＢＳインデックスとを示している。
【表３】
2018152880.tif 000005
【００７９】
[0096]  異なるＭＣＳテーブルは異なるダウンリンクチャネル情報（ＤＣＩ）フォーマットに関連付けられ得る。たとえば、レガシーＭＣＳテーブルはＤＣＩフォーマット１Ａに関連付けられ得、新しいＭＣＳテーブルはＤＣＩフォーマット２Ｄに関連付けられ得る。一構成では、レガシーＭＣＳテーブルと新しいＭＣＳテーブルは、それらの間で１つまたは複数の共通データエントリを有し得る。一例では、レガシーＭＣＳテーブルと新しいＭＣＳテーブルは同じ数のエントリを有し得る。別の例では、新しいＭＣＳテーブルは、レガシーテーブルのエントリの数よりも大きい数のエントリを有し得る（たとえば、新しいＭＣＳテーブルのために６ビットテーブルが使用され得、レガシーテーブルのために５ビットテーブルが使用され得る）。より高次の方式のために使用される新しい５ビットＭＣＳテーブルの一例を表４として以下に示す。この例では、場合によっては再送信のための４つの異なる変調次数を示すために、４つのエントリ（ＭＣＳインデックス２８〜３１）が予約済みである。
【表４】
2018152880.tif 000006
【００８０】
[0097]  より高次の方式のために使用される新しい５ビットＭＣＳテーブルの別の例を表５として以下に示す。この例では、２９個の明示的エントリを有することを可能にするために、場合によっては再送信のための３つの異なる変調次数を示すために、３つのエントリ（ＭＣＳインデックス２９〜３１）が予約済みである。
【表５】
2018152880.tif 000007
【００８１】
[0098]  一構成では、ＭＣＳ識別モジュール４３０によって識別された各ＭＣＳが単一のＭＣＳテーブルに基づき得る。たとえば、ＵＥ１１５−ｃは、無線リソース制御（ＲＲＣ）プロトコルに従って単一のＭＣＳテーブルを使用し得る。前に説明したように、ＵＥ１１５−ｃは、２つ以上のＭＣＳテーブルをサポートし得、様々なファクタに基づいて、どのテーブルを使用すべきかを決定し得る。
【００８２】
[0099]  一例では、ＭＣＳテーブル選択モジュール３１０−ａは、送信タイプ識別モジュール４１５と、制御チャネル識別モジュール４２０とを含み得る。一構成では、送信タイプ識別モジュール４１５は、ｅＮＢ１０５からＵＥ１１５−ｃに情報を送信するために使用される送信のタイプを識別し得る。送信タイプの例としては、ブロードキャスト、ランダムアクセス応答、ユニキャスト、マルチキャストなどがあり得る。モジュール４１５は、受信された送信を送信するために使用されるスケジューリングのタイプをも識別し得る。たとえば、送信タイプ識別モジュール４１５は、サービスの半永続的スケジューリング（ＳＰＳ：semi-persistent scheduling）を識別し得、ＭＣＳテーブル選択モジュール３１０−ａは、この決定に基づいて特定のＭＣＳテーブルを選択し得る。したがって、識別された送信タイプに基づいて、ＭＣＳテーブル選択モジュール３１０−ａは、送信のためのＭＣＳを識別するために使用すべきＭＣＳテーブルを識別し得る。
【００８３】
[0100]  制御チャネル識別モジュール４２０は、受信された送信を送信するために使用される制御チャネルのタイプを識別し得る。たとえば、モジュール４２０は、物理ダウンリンク制御チャネル（ＰＤＣＣＨ）が使用されたことを識別し得、ＭＣＳテーブル選択モジュール３１０−ａは、ＭＣＳを識別するために使用すべきレガシーＭＣＳテーブルを識別し得る。モジュール４２０が、制御チャネルを拡張ＰＤＣＣＨ（ｅＰＤＣＣＨ：enhanced PDCCH）であるものとして識別した場合、ＭＣＳテーブル選択モジュール３１０−ａは、使用すべき新しいＭＣＳテーブルを選択し得る。送信のために使用されるチャネルのタイプに加えて、ＭＣＳテーブル選択モジュール３１０−ａは、受信されたサブフレームのインデックスまたはサブフレームタイプ（たとえば、それがマルチメディアブロードキャスト単一周波数ネットワーク（ＭＢＳＦＮ：multimedia broadcast single-frequency network）サブフレームであるであるか否か）にも基づいて、使用すべきＭＣＳテーブルを識別し得る。
【００８４】
[0101]  ＭＣＳ識別モジュール４３０は、選択されたテーブルに基づいて、送信のために使用すべきＭＣＳを識別し得る。モジュール４３０は送信のＴＢＳをも識別し得る。一例では、第１のＴＢＳテーブルが第１のＭＣＳテーブルからマッピングされ得る。さらに、第２のＴＢＳテーブルが第２のＭＣＳテーブルからマッピングされ得る。一例では、第２のＴＢＳテーブルは、第１のＴＢＳテーブルの最大ＴＢＳエントリよりも大きい少なくとも１つのＴＢＳエントリを含み得る。ＭＣＳ識別モジュール４３０は、対応するＴＢＳテーブルをルックアップすることと、送信のサイズを識別することとを行うために、選択されたＭＣＳテーブルを使用し得る。一構成では、ＭＣＳ識別モジュール４３０は、第１のＭＣＳテーブルから識別されたＭＣＳを表すために第１のビット数を使用し得る。異なるＭＣＳテーブルについて、モジュール４３０は、ＭＣＳを表すために第２のビット数を使用し得る。第２のビット数は第１のビット数よりも大きいことがある。一例では、ＭＣＳを表すために使用されるビット数は、識別されたＭＣＳテーブルにかかわらず、同じままであり得る。
【００８５】
[0102]  図４Ｂに、本システムおよび方法による、ＣＱＩテーブルの２つの例を示す。古い、またはレガシーの、ＣＱＩテーブル４５０の一例（たとえば、ＱＰＳＫ、１６ＱＡＭ、および６４ＱＡＭ方式のために使用されるテーブル）ならびに新しいＣＱＩテーブル４６０の一例（たとえば、２５６ＱＡＭなど、より高次の方式のために使用されるテーブル）が示されている。場合によっては、古いＣＱＩテーブル４５０および新しいＣＱＩテーブル４６０は、図４Ａの古いＣＱＩテーブルおよび新しいＣＱＩテーブルの例である。
【００８６】
[0103]  図４Ｃに、本システムおよび方法による、ＭＣＳテーブルの２つの例を示す。古い、またはレガシーの、ＭＣＳテーブル４７０の一例（たとえば、ＱＰＳＫ、１６ＱＡＭ、および６４ＱＡＭ方式のために使用されるテーブル）ならびに新しいＭＣＳテーブル４８０の一例（たとえば、２５６ＱＡＭなど、より高次の方式のために使用されるテーブル）が示されている。場合によっては、古いＭＣＳテーブル４７０および新しいＭＣＳテーブル４８０は、図４Ａの古いＭＣＳテーブルおよび新しいＭＣＳテーブルの例である。
【００８７】
[0104]  図５は、本システムおよび方法による、ｅＮＢ１０５−ａの一例を示すブロック図５００である。ｅＮＢ１０５−ａは、図１のｅＮＢ１０５の一例であり得る。ｅＮＢ１０５−ａは、ｅＮＢ受信機モジュール５０５と、ｅＮＢテーブル選択モジュール５１０と、ｅＮＢ送信機モジュール５１５とを含み得る。これらの構成要素の各々は互いと通信していることがある。
【００８８】
[0105]  ｅＮＢ１０５−ａのこれらの構成要素は、個別にまたは集合的に、ハードウェア中の適用可能な機能の一部または全部を実施するように適応された１つまたは複数の特定用途向け集積回路（ＡＳＩＣ）を用いて実装され得る。代替的に、それらの機能は、１つまたは複数の他の処理ユニット（またはコア）によって、１つまたは複数の集積回路上で実施され得る。他の例では、当技術分野で知られている任意の様式でプログラムされ得る他のタイプの集積回路（たとえば、ストラクチャードＡＳＩＣ／プラットフォームＡＳＩＣ、フィールドプログラマブルゲートアレイ（ＦＰＧＡ）、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。
【００８９】
[0106]  一構成では、受信機モジュール５０５は、セルラー受信機を含み得、ＵＥ１１５からの送信を受信し得る。ｅＮＢテーブル選択モジュール５１０は、ある情報を生成および／または識別するために使用すべきテーブルの選択を制御し得る。テーブルの選択は、ｅＮＢ１０５−ａのあらかじめ定義された構成設定に基づき得る。一例では、選択モジュール５１０は、１つまたは複数のファクタ基づいて、使用すべきテーブルを動的に選択し得る。場合によっては、選択されたテーブルから生じる生成および／または識別された情報はｅＮＢ送信機モジュール５１５を介して送信され得る。ｅＮＢテーブル選択モジュール５１０に関する詳細については以下で説明する。
【００９０】
[0107]  図６は、本システムおよび方法による、ｅＮＢ１０５−ｂのへの一例を示すブロック図６００である。ｅＮＢ１０５−ｂは、図１および／または図５に示されたｅＮＢ１０５の一例であり得る。ｅＮＢ１０５−ｂは、前に説明したように、ｅＮＢ受信機モジュール５０５と、ｅＮＢテーブル選択モジュール５１０−ａと、ｅＮＢ送信機モジュール５１５とを含み得る。これらの構成要素の各々は互いと通信していることがある。
【００９１】
[0108]  ｅＮＢ１０５−ｂのこれらの構成要素は、個別にまたは集合的に、ハードウェア中の適用可能な機能の一部または全部を実施するように適応された１つまたは複数の特定用途向け集積回路（ＡＳＩＣ）を用いて実装され得る。代替的に、それらの機能は、１つまたは複数の他の処理ユニット（またはコア）によって、１つまたは複数の集積回路上で実施され得る。他の例では、当技術分野で知られている任意の様式でプログラムされ得る他のタイプの集積回路（たとえば、ストラクチャードＡＳＩＣ／プラットフォームＡＳＩＣ、フィールドプログラマブルゲートアレイ（ＦＰＧＡ）、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。
【００９２】
[0109]  一例では、ｅＮＢ１０５−ｂは、ＲＲＣプロトコルによってあらかじめ決定されるかまたは構成されるかのいずれかであり得る、少なくとも２つのＣＱＩテーブルの使用をサポートし得る。一構成では、ｅＮＢテーブル選択モジュール５１０−ａはＣＱＩテーブル選択モジュール６０５を含み得る。ＣＱＩテーブル選択モジュール６０５は、ｅＮＢ１０５−ｂによってサポートされるＣＱＩテーブル１つを識別し得る。識別されたテーブルは、ワイヤレスチャネルに関する受信されたＣＱＩデータからのＣＱＩ値を識別するために使用され得る。ＣＱＩ値を表すためにビット数が使用され得る。一例では、識別されたＣＱＩ値を表すために使用されるビット数は、テーブル選択モジュール６０５によって識別されたテーブルにかかわらず、同じままであり得る。
【００９３】
[0110]  複数のＣＱＩテーブルの使用をサポートすることに加えて、ｅＮＢ１０５−ｂは、少なくとも２つのＭＣＳテーブルの使用をもサポートし得る。ｅＮＢテーブル選択モジュール５１０−ａはＭＣＳテーブル選択モジュール６１０を含み得る。ｅＮＢ送信機モジュール５１５によって送信されるべき送信は、特定のＭＣＳを使用して変調され、符号化され得る。ＭＣＳテーブル選択モジュール６１０は、送信のために使用すべき少なくとも２つのＭＣＳテーブルのうちの１つを選択し得る。一例では、識別されたＭＣＳテーブルは、送信を搬送することになるワイヤレスチャネルの識別されたＣＱＩ値に基づいて、送信に適用されるべきＭＣＳを決定するために、使用され得る。さらに、ＵＥ１１５が、アップリンクを介してｅＮＢ１０５−ｂに送信されるべき情報を有するとき、ｅＮＢ１０５−ｂは、アップリンク送信のために使用すべきＵＥ１１５のための特定のＭＣＳを割り当て得る。
【００９４】
[0111]  一例では、ｅＮＢテーブル選択モジュールはＴＢＳテーブルマッピングモジュール６１５をも含み得る。一構成では、ＵＥ１１５が送信のサイズを決定することを可能にするために、ＭＣＳテーブルがＴＢＳテーブルにマッピングされ得る。一例では、ＴＢＳテーブルマッピングモジュール６１５は、ｅＮＢ１０５−ｂによってサポートされる特定のＭＣＳテーブルから、送信されるべきトランスポートブロックのサイズを示すＴＢＳテーブルをマッピングし得る。ＵＥ１１５が、送信のためのＭＣＳを生成するために使用されたＭＣＳテーブルを識別したとき、ＵＥ１１５はまた、選択されたＭＣＳテーブルからマッピングされたＴＢＳテーブルをルックアップするために、選択されたＭＣＳテーブルを使用し得る。その結果、ＵＥ１１５は、受信されたトランスポートブロックのサイズを決定し得る。
【００９５】
[0112]  一構成では、物理ダウンリンク共有チャネル（ＰＤＳＣＨ）を介した送信のためのＭＣＳを識別するために使用されている新しいＭＣＳテーブルから１つまたは複数のＴＢＳテーブルがマッピングされ得る。新しいＭＣＳテーブル中のＭＣＳインデックス値からマッピングされた１つまたは複数のＴＢＳテーブル中の新しいＴＢＳインデックス値が定義され得る。一例では、新しいＴＢＳインデックス値は、たとえば、レガシーＭＣＳテーブルからマッピングされたＴＢＳインデックス値の現在の最大数である２６よりも大きいことがある。ＴＢＳインデックス値の数は、ダウンリンクおよび／またはアップリンク送信レートおよび／またはピークレートの増加を可能にするために増加し得る。別の例では、新しいＭＣＳテーブルからマッピングされたＴＢＳインデックス値から生じる第１のトランスポートブロックサイズが、レガシーＭＣＳテーブルからマッピングされた同じＴＢＳインデックス値から生じる第２のＴＢＳとは異なり得る。一例として、第１のＴＢＳは第２のＴＢＳよりも大きいことがある。これは、ダウンリンクおよび／またはアップリンク送信レートおよび／またはピークレートの増加を可能にし得る。
【００９６】
[0113]  図７は、本システムおよび方法による、ｅＮＢ１０５−ｃの一例を示すブロック図７００である。ｅＮＢ１０５−ｃは、図１、図５、および／または図６に示されたｅＮＢ１０５の一例であり得る。一構成では、ｅＮＢ１０５−ｃは、ｅＮＢ受信機モジュール５０５と、ｅＮＢテーブル選択モジュール５１０−ｂと、ＣＱＩ値識別モジュール７２０と、ＭＣＳ生成モジュール７２５と、ｅＮＢ送信機モジュール５１５とを含み得る。これらの構成要素の各々は互いと通信していることがある。
【００９７】
[0114]  ＵＥ１１５−ｃのこれらの構成要素は、個別にまたは集合的に、ハードウェア中の適用可能な機能の一部または全部を実施するように適応された１つまたは複数の特定用途向け集積回路（ＡＳＩＣ）を用いて実装され得る。代替的に、それらの機能は、１つまたは複数の他の処理ユニット（またはコア）によって、１つまたは複数の集積回路上で実施され得る。他の例では、当技術分野で知られている任意の様式でプログラムされ得る他のタイプの集積回路（たとえば、ストラクチャードＡＳＩＣ／プラットフォームＡＳＩＣ、フィールドプログラマブルゲートアレイ（ＦＰＧＡ）、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。
【００９８】
[0115]  一構成では、ｅＮＢテーブル選択モジュール５１０−ｂはＣＱＩテーブル選択モジュール６０５を含み得る。ｅＮＢ１０５−ｃは、レガシーＣＱＩテーブルと新しいＣＱＩテーブルとの使用をサポートし得る。モジュール６０５は、ＣＱＩ値を生成するためにＵＥによって使用される複数のＣＱＩテーブルから、１つのＣＱＩテーブルを選択し得る。選択されたテーブルは、次いで、ダウンリンクチャネルなど、ワイヤレスチャネルのために受信されたＣＱＩデータからのＣＱＩ値を識別するためにＣＱＩ値識別モジュール７２０によって使用され得る。
【００９９】
[0116]  一例では、ｅＮＢ１０５−ｃは、レガシーＭＣＳテーブル（たとえば、ＱＰＳＫ、１６ＱＡＭ、および６４ＱＡＭ方式のために使用されるテーブル）と、２５６ＱＡＭなど、より高次の方式のために使用される新しいＭＣＳテーブルとの使用をサポートし得る。一例では、異なるＭＣＳテーブルは異なるＤＣＩフォーマットに関連付けられ得る。たとえば、レガシーＭＣＳテーブルはＤＣＩフォーマット１Ａに関連付けられ得、新しいＭＣＳテーブルはＤＣＩフォーマット２Ｄに関連付けられ得る。一構成では、レガシーＭＣＳテーブルと新しいＭＣＳテーブルは、それらの間で１つまたは複数の共通データエントリを有し得る。一例では、レガシーＭＣＳテーブルと新しいＭＣＳテーブルは同じ数のエントリを有し得る。別の例では、新しいＭＣＳテーブルは、レガシーテーブルのエントリの数よりも大きい数のエントリを有し得る（たとえば、新しいＭＣＳテーブルのために６ビットテーブルが使用され得、レガシーテーブルのために５ビットテーブルが使用され得る）。
【０１００】
[0117]  一構成では、ＭＣＳ生成モジュール７２５によって識別された各ＭＣＳが単一のＭＣＳテーブルに基づき得る。一構成では、ｅＮＢ１０５−ｃによるＰＤＳＣＨの各割当てが単一のＭＣＳテーブルに関連付けられ得る。前に説明したように、ｅＮＢ１０５−ｃは、２つ以上のＭＣＳテーブルの使用をサポートし得、様々なファクタに基づいて、どのテーブルを使用すべきかを決定し得る。
【０１０１】
[0118]  一例では、ＭＣＳテーブル選択モジュール６１０−ａは、ＤＣＩフォーマット識別モジュール７０５と、候補識別モジュール７１０と、送信タイプ識別モジュール７１５とのうちの少なくとも１つを含み得る。ＤＣＩフォーマット識別モジュール７０５は送信のＤＣＩフォーマットを識別し得る。ＭＣＳテーブル選択モジュール６１０−ａは、識別されたＤＣＩフォーマットに基づいて、送信のために使用すべきＭＣＳテーブルを選択し得る。
【０１０２】
[0119]  候補識別モジュール７１０は、制御チャネル送信を受信するべきである制御チャネル復号候補のセットを識別し得る。候補の識別されたセットに少なくとも部分的に基づいて、ＭＣＳテーブル選択モジュール６１０−ａによってＭＣＳテーブルのうちの１つが識別され得る。一例として、共通探索空間中の復号候補がレガシーＭＣＳテーブルに関連付けられ、ＵＥ固有探索空間中の復号候補が新しいＭＣＳテーブルに関連付けられる。共通探索空間とＵＥ固有探索空間との間で重複がある場合、あらかじめ定義されたルールが使用され得る。一例として、復号候補が、共通探索空間とＵＥ固有探索空間の両方に属する場合、レガシーＭＣＳテーブルが決定される。代替的に、新しいＭＣＳテーブルが決定される。候補識別モジュール７１０は、送信のために使用されるべき制御チャネルのタイプをも識別し得る。使用すべきＭＣＳテーブルは、制御チャネルのタイプに基づいて識別され得る。たとえば、モジュール７１０は、送信のために使用されるべきＰＤＣＣＨを識別し得、ＭＣＳテーブル選択モジュール６１０−ａは、送信のためのＭＣＳを生成するために使用すべきレガシーＭＣＳテーブルを識別し得る。モジュール７１０が、制御チャネルをｅＰＤＣＣＨであるものとして識別した場合、ＭＣＳテーブル選択モジュール６１０−ａは、使用すべき新しいＭＣＳテーブルを選択し得る。送信のために使用されるチャネルのタイプに加えて、ＭＣＳテーブル選択モジュール６１０−ａは、受信されたサブフレームのインデックスにも基づいて、使用すべきＭＣＳテーブルを識別し得る。
【０１０３】
[0120]  一構成では、送信タイプ識別モジュール７１５は、送信のために使用されるべき送信のタイプを識別し得る。送信タイプの例としては、ブロードキャスト、ランダムアクセス応答、ユニキャスト、マルチキャストなどがあり得る。モジュール７１５は、送信のために使用されるスケジューリングのタイプをも識別し得る。たとえば、送信タイプ識別モジュール７１５は、サービスの半永続的スケジューリング（ＳＰＳ）を識別し得、ＭＣＳテーブル選択モジュール６１０−ａは、この決定に基づいて特定のＭＣＳテーブルを選択し得る。したがって、識別された送信タイプに基づいて、ＭＣＳテーブル選択モジュール６１０−ａは、送信のためのＭＣＳを識別するために使用すべきＭＣＳテーブルを識別し得る。
【０１０４】
[0121]  ＭＣＳ生成モジュール７２５は、選択されたテーブル、ならびにワイヤレスチャネルのための識別されたＣＱＩ値に基づいて、送信のために使用すべきＭＣＳを決定し得る。一構成では、ＭＣＳ生成モジュール７２５は、第１のＭＣＳテーブルに基づいてＭＣＳを表すために第１のビット数を使用し得る。異なるＭＣＳテーブルについて、モジュール７２５は、ＭＣＳを表すために第２のビット数を使用し得る。第２のビット数は第１のビット数よりも大きいことがある。一例では、ＭＣＳを表すために使用されるビット数は、使用されたＭＣＳテーブルにかかわらず、同じままであり得る。ＭＣＳはダウンリンクまたはアップリンク送信のために選択され得る。一例では、複数のトランスポートブロック（たとえば、コードワード）が単一のＰＤＳＣＨを介して送信され得る。一例では、各別個のトランスポートブロックのダウンリンク送信のためにＭＣＳを識別する、ＭＣＳ生成モジュール７２５によって同じＭＣＳテーブルが使用され得る。別の例では、各別個のトランスポートブロックのダウンリンク送信のために使用すべきＭＣＳを識別するために、ＭＣＳ生成モジュール７２５によって異なるＭＣＳテーブルが使用され得る。一例として、ランクの第１のセット（たとえば、ランク１）のＰＤＳＣＨ送信が第１のＭＣＳテーブルに関連付けられ得、ランクの第２のセット（たとえば、ランク２以上）のＰＤＳＣＨ送信が第２のＭＣＳテーブルに関連付けられ得る。
【０１０５】
[0122]  ＵＥが多地点協調（ＣｏＭＰ）動作下にあり得る。この場合、上位レイヤによって構成された最高４つのＰＤＳＣＨレートマッチングおよび擬似コロケーション指示（ＰＱＩ：PDSCH rate-matching and Quasi-colocation Indication）パラメータの中からどのＰＱＩパラメータが特定のＰＤＳＣＨ送信のために使用されるべきであるかをＵＥに動的に示すために、ＰＱＩ情報フィールドがダウンリンク制御情報（ＤＣＩ）中に含まれ得る。上位レイヤによって構成されたＰＱＩパラメータの一部または全部のセット中にＭＣＳテーブル指示が含まれ得る。その指示は１つまたは複数のビットであり得る。一例として、１ビット指示が、対応するＰＤＳＣＨ送信のためにレガシーＭＣＳテーブルが使用されるべきであるのか新しいＭＣＳテーブルが使用されるべきであるのかを示すことができる。ＰＱＩ中にＭＣＳテーブル指示を含めることは、異なるリリースのセルを用いてＵＥのためのＣｏＭＰをサポートすることを可能にする。すなわち、いくつかのセルは２５６ＱＡＭをサポートすることがあり、他のセルはそうしないことがある。さらに、ＵＥは、ＣｏＭＰにおいてセルの各々からの異なるチャネル状態を経験し得、したがって、セルのうちのいくつかは２５６ＱＡＭを有効化するのに好適であることがあり、他のセルはそうでないことがある。所与のセルが、ある時間に、２５６ＱＡＭを有効化するのにより好適であり得るが、後で、２５６ＱＡＭを無効化するのにより好適になる。したがって、ＰＱＩ中にＭＣＳテーブル指示を含めることは、異なるセルおよび／または異なるサブフレームのために２５６ＱＡＭを動的な方法で有効化／無効化する際に有益である。
【０１０６】
[0123]  図８は、ｅＮＢ１０５−ｄとＵＥ１１５−ｄとを含むＭＩＭＯ通信システム８００のブロック図である。このシステム８００は、図１のシステム１００の態様を示し得る。ｅＮＢ１０５−ｄは、図１、図５、図６、および／または図７のｅＮＢ１０５の一例であり得る。ＵＥ１１５−ｄは、図１、図２、図３、および／または図４ＡのＵＥ１１５の一例であり得る。ｅＮＢ１０５−ｄはアンテナ８３４−ａ〜８３４−ｘを装備し得、ＵＥ１１５−ｄはアンテナ８５２−ａ〜８５２−ｎを装備し得る。システム８００では、ｅＮＢ１０５−ｄは、複数の通信リンクを介してデータを同時に送ることが可能であり得る。各通信リンクは「レイヤ」と呼ばれることがあり、通信リンクの「ランク」は、通信のために使用されるレイヤの数を示し得る。たとえば、ｅＮＢ１０５−ｄが２つの「レイヤ」を送信する２×２ＭＩＭＯシステムでは、ｅＮＢ１０５−ｄとＵＥ１１５−ｂとの間の通信リンクのランクは２である。
【０１０７】
[0124]  ｅＮＢ１０５−ｄにおいて、送信プロセッサ８２０がデータソースからデータを受信し得る。送信プロセッサ８２０はデータを処理し得る。送信プロセッサ８２０はまた、基準シンボルと、セル固有基準信号とを生成し得る。送信（ＴＸ）ＭＩＭＯプロセッサ８３０が、適用可能な場合、データシンボル、制御シンボル、および／または基準シンボルに対して空間処理（たとえば、プリコーディング）を実施し得、出力シンボルストリームを送信変調器８３２−ａ〜８３２−ｘに与え得る。各変調器８３２は、出力サンプルストリームを取得するために、（たとえば、ＯＦＤＭなどのために）それぞれの出力シンボルストリームを処理し得る。各変調器８３２はさらに、ダウンリンク信号を取得するために、出力サンプルストリームを処理（たとえば、アナログへの変換、増幅、フィルタ処理、およびアップコンバート）し得る。一例では、変調器８３２−ａ〜８３２−ｘからのダウンリンク信号は、それぞれアンテナ８３４−ａ〜８３４−ｘを介して送信され得る。
【０１０８】
[0125]  ＵＥ１１５−ｄにおいて、ＵＥアンテナ８５２−ａ〜８５２−ｎは、ｅＮＢ１０５−ｄからダウンリンク信号を受信し得、受信信号をそれぞれ復調器８５４−ａ〜８５４−ｎに与え得る。各復調器８５４は、入力サンプルを取得するために、それぞれの受信信号を調整（たとえば、フィルタ処理、増幅、ダウンコンバート、およびデジタル化）し得る。各復調器８５４はさらに、受信シンボルを取得するために、（たとえば、ＯＦＤＭなどのために）入力サンプルを処理し得る。ＭＩＭＯ検出器８５６は、すべての復調器８５４−ａ〜８５４−ｎから受信シンボルを取得し、適用可能な場合は受信シンボルに対してＭＩＭＯ検出を実施し、検出されたシンボルを与え得る。受信プロセッサ８５８が、検出されたシンボルを処理（たとえば、復調、デインターリーブ、および復号）し、ＵＥ１１５−ｄの復号されたデータをデータ出力に与え、復号された制御情報をプロセッサ８８０、またはメモリ８８２に与え得る。一例では、ＵＥプロセッサ８８０は、本明細書で説明するシステムおよび方法を実装するためにＵＥテーブル選択モジュール２１０−ｃを含み得る。ＵＥテーブル選択モジュール２１０−ｃは、図２、図３、および／または図４Ａのモジュール２１０の例であり得る。
【０１０９】
[0126]  アップリンク上で、ＵＥ１１５−ｄにおいて、送信プロセッサ８６４が、データソースからデータを受信し、処理し得る。送信プロセッサ８６４はまた、基準信号のための基準シンボルを生成し得る。送信プロセッサ８６４からのシンボルは、適用可能な場合は送信ＭＩＭＯプロセッサ８６６によってプリコーディングされ、さらに（たとえば、ＳＣ−ＦＤＭＡなどのために）復調器８５４−ａ〜８５４−ｎによって処理され、ｅＮＢ１０５−ｄから受信された送信パラメータに従ってｅＮＢ１０５−ｄに送信され得る。ｅＮＢ１０５−ｄにおいて、ＵＥ１１５−ｄからのアップリンク信号は、アンテナ８３４によって受信され、復調器８３２によって処理され、適用可能な場合はＭＩＭＯ検出器８３６によって検出され、さらに受信プロセッサによって処理され得る。受信プロセッサ８３８は、復号されたデータをデータ出力とプロセッサ８４０とに与え得る。プロセッサ８４０は、本明細書で説明するシステムおよび方法を実装するためにｅＮＢテーブル選択モジュール５１０−ｃを含み得る。モジュール５１０−ｃは、図５、図６、および／または図７のｅＮＢテーブル選択モジュール５１０の一例であり得る。ＵＥ１１５−ｄの構成要素は、個別にまたは集合的に、ハードウェア中の適用可能な機能の一部または全部を実施するように適応された１つまたは複数の特定用途向け集積回路（ＡＳＩＣ）を用いて実装され得る。言及したモジュールの各々は、システム８００の動作に関係する１つまたは複数の機能を実施するための手段であり得る。
【０１１０】
[0127]  同様に、ｅＮＢ１０５−ｄの構成要素は、個別にまたは集合的に、ハードウェア中の適用可能な機能の一部または全部を実施するように適応された１つまたは複数の特定用途向け集積回路（ＡＳＩＣ）を用いて実装され得る。言及した構成要素の各々は、システム８００の動作に関係する１つまたは複数の機能を実施するための手段であり得る。
【０１１１】
[0128]  様々な開示する例のうちのいくつかに適応し得る通信ネットワークは、階層化プロトコルスタックに従って動作するパケットベースネットワークであり得る。たとえば、ベアラまたはパケットデータコンバージェンスプロトコル（ＰＤＣＰ：Packet Data Convergence Protocol）レイヤにおける通信はＩＰベースであり得る。無線リンク制御（ＲＬＣ：Radio Link Control）レイヤが、論理チャネルを介して通信するためにパケットセグメンテーションおよびリアセンブリを実施し得る。媒体アクセス制御（ＭＡＣ：Medium Access Control）レイヤが、優先度処理と、トランスポートチャネルへの論理チャネルの多重化とを実施し得る。ＭＡＣレイヤはまた、リンク効率を改善するためにＭＡＣレイヤにおいて再送信を行うためにハイブリッドＡＲＱ（ＨＡＲＱ：Hybrid ARQ）を使用し得る。物理レイヤにおいて、トランスポートチャネルは物理チャネルにマッピングされ得る。
【０１１２】
[0129]  図９は、ワイヤレス通信のための方法９００の一例を示すフローチャートである。明快のために、方法９００について、図１、図２、図３、図４Ａ、および／または図８のＵＥ１１５に関して以下で説明する。場合によっては、方法９００について、図４Ｂの例示的なＣＱＩテーブルに関して以下で説明する。一実装形態では、図２、図３、図４Ａ、および／または図８のＵＥテーブル選択モジュール２１０は、以下で説明する機能を実施するためにＵＥ１１５の機能要素を制御するためのコードの１つまたは複数のセットを実行し得る。
【０１１３】
[0130]  ブロック９０５において、少なくとも２つのＣＱＩテーブルの使用をサポートする。ブロック９１０において、少なくとも２つのＣＱＩテーブルのうちの１つを識別する。ブロック９１５において、ワイヤレスチャネルのためのＣＱＩ値を生成するために、識別されたＣＱＩテーブルを使用する。たとえば、ＣＱＩ値はダウンリンクチャネルのために生成され得る。一例では、使用すべき選択されたＣＱＩテーブルとは無関係に、ＣＱＩ値を表すために同じビット数が使用され得る。ＣＱＩテーブルのうちの少なくとも１つが２５６ＱＡＭをサポートし得る。
【０１１４】
[0131]  したがって、方法９００は、追加のＣＱＩテーブルをサポートすることによってより高次のＭＣＳのためのワイヤレス通信を管理することを与え得る。方法９００は一実装形態にすぎないこと、および方法９００の動作は、他の実装形態が可能であるように、並べ替えられるかまたは場合によっては変更され得ることに留意されたい。
【０１１５】
[0132]  図１０は、ワイヤレス通信のための方法１０００の一例を示すフローチャートである。明快のために、方法１０００について、図１、図２、図３、図４Ａ、および／または図８のＵＥ１１５に関して以下で説明する。場合によっては、方法１０００について、図４Ｂの例示的なＣＱＩテーブルに関して以下で説明する。一実装形態では、図２、図３、図４Ａ、および／または図８のＵＥテーブル選択モジュール２１０は、以下で説明する機能を実施するためにＵＥ１１５の機能要素を制御するためのコードの１つまたは複数のセットを実行し得る。
【０１１６】
[0133]  ブロック１００５において、少なくとも２つのＣＱＩテーブルの使用をサポートする。ブロック１０１０において、ＣＱＩ値が制御チャネルを介して送信されるべきであるのかデータチャネルを介して送信されるべきであるのかに関する決定が行われ得る。ＣＱＩ値が制御チャネルを介して送信されるべきであることが決定された場合、ブロック１０１５において、第１のＣＱＩテーブルを識別する。ブロック１０２０において、第１のビット数によって表されるＣＱＩ値を生成するために第１のＣＱＩテーブルを使用する。
【０１１７】
[0134]  しかしながら、ＣＱＩ値がデータチャネルを介して送信されるべきであることが決定された場合、ブロック１０２５において、第１のＣＱＩテーブルとは異なる第２のＣＱＩテーブルを識別する。ブロック１０３０において、第２のビット数によって表されるＣＱＩ値を生成するために第２のＣＱＩテーブルを使用する。一例では、第２のビット数は第１のビット数とは異なる。一構成では、第２のビット数は第１のビット数よりも大きい。別の例では、ＣＱＩ値を表すために使用されるビット数は、識別されたＣＱＩテーブルにかかわらず、同じままである。ブロック１０３５において、ワイヤレスチャネルを介してＣＱＩ値を送信する。
【０１１８】
[0135]  したがって、方法１０００は、ＣＱＩ値がデータチャネルを介して送信されるのか制御チャネルを介して送信されるのかに基づく、異なるＣＱＩテーブルの選択を与え得る。方法１０００は一実装形態にすぎないこと、および方法１０００の動作は、他の実装形態が可能であるように、並べ替えられるかまたは場合によっては変更され得ることに留意されたい。
【０１１９】
[0136]  図１１は、ワイヤレス通信のための方法１１００の一例を示すフローチャートである。明快のために、方法１１００について、図１、図２、図３、図４Ａ、および／または図８のＵＥ１１５に関して以下で説明する。場合によっては、方法１１００について、図４Ｂの例示的なＣＱＩテーブルに関して以下で説明する。一実装形態では、図２、図３、図４Ａ、および／または図８のＵＥテーブル選択モジュール２１０は、以下で説明する機能を実施するためにＵＥ１１５の機能要素を制御するためのコードの１つまたは複数のセットを実行し得る。
【０１２０】
[0137]  ブロック１１０５において、少なくとも２つのＣＱＩテーブルの使用をサポートする。ブロック１１１０において、ＣＱＩ値がＰ−ＣＳＩ報告の一部であるべきであるのかＡ−ＣＳＩ報告の一部であるべきであるのかに関する決定が行われ得る。ＣＱＩ値がＰ−ＣＳＩ報告の一部であるべきであることが決定された場合、ブロック１１１５において、第１のＣＱＩテーブルを識別する。ブロック１１２０において、ＣＱＩ値を生成するために第１のＣＱＩテーブルを使用する。
【０１２１】
[0138]  しかしながら、ＣＱＩ値がＡ−ＣＳＩ報告の一部であるべきであることが決定された場合、ブロック１１２５において、第１のＣＱＩテーブルとは異なる第２のＣＱＩテーブルを識別する。ブロック１１３０において、ＣＱＩ値を生成するために第２のＣＱＩテーブルを使用する。一例では、生成されたＣＱＩ値を表すために使用されるビット数は同じであり、選択されたＣＱＩテーブルとは無関係である。ブロック１１３５において、ワイヤレスチャネルを介してＣＱＩ値を送信する。
【０１２２】
[0139]  したがって、方法１１００は、ＣＱＩ値の報告スケジュールに基づく異なるＣＱＩテーブルの選択を与え得る。方法１１００は一実装形態にすぎないこと、および方法１１００の動作は、他の実装形態が可能であるように、並べ替えられるかまたは場合によっては変更され得ることに留意されたい。
【０１２３】
[0140]  図１２は、ワイヤレス通信のための方法１２００の一例を示すフローチャートである。明快のために、方法１２００について、図１、図２、図３、図４Ａ、および／または図８のＵＥ１１５に関して以下で説明する。場合によっては、方法１２００について、図４Ｃの例示的なＭＣＳテーブルに関して以下で説明する。一実装形態では、図２、図３、図４Ａ、および／または図８のＵＥテーブル選択モジュール２１０は、以下で説明する機能を実施するためにＵＥ１１５の機能要素を制御するためのコードの１つまたは複数のセットを実行し得る。
【０１２４】
[0141]  ブロック１２０５において、少なくとも２つのＭＣＳテーブルの使用をサポートする。ブロック１２１０において、ワイヤレスチャネルを介して送信を受信する。たとえば、送信は、ダウンリンクチャネルを介してｅＮＢ１０５から受信され得る。ブロック１２１５において、受信された送信のためにＭＣＳテーブルのうちの１つを識別する。識別されたＭＣＳテーブルは、受信された送信に適用されるべきＭＣＳを識別するために使用され得る。識別されたＭＣＳは、受信された送信に適用されるべき復調および復号方式を示し得る。ＭＣＳテーブルのうちの少なくとも１つが、限定はしないが２５６ＱＡＭなど、より高次の変調方式をサポートし得る。
【０１２５】
[0142]  したがって、方法１２００は、受信された送信のためのＭＣＳを識別するための異なるＭＣＳテーブルの選択を与え得る。方法１２００は一実装形態にすぎないこと、および方法１２００の動作は、他の実装形態が可能であるように、並べ替えられるかまたは場合によっては変更され得ることに留意されたい。
【０１２６】
[0143]  図１３は、ワイヤレス通信のための方法１３００の一例を示すフローチャートである。明快のために、方法１３００について、図１、図２、図３、図４Ａ、および／または図８のＵＥ１１５に関して以下で説明する。場合によっては、方法１３００について、図４Ｃの例示的なＭＣＳテーブルに関して以下で説明する。一実装形態では、図２、図３、図４Ａ、および／または図８のＵＥテーブル選択モジュール２１０は、以下で説明する機能を実施するためにＵＥ１１５の機能要素を制御するためのコードの１つまたは複数のセットを実行し得る。
【０１２７】
[0144]  ブロック１３０５において、少なくとも２つのＭＣＳテーブルの使用をサポートする。ブロック１３１０において、ワイヤレスチャネルを介して送信を受信する。ブロック１３１５において、受信された送信のために使用すべきＭＣＳテーブルのうちの１つを識別する。ブロック１３２０において、受信された送信に対して使用すべきＭＣＳを決定するために、識別されたＭＣＳテーブルを使用する。ブロック１３２５において、受信された送信のサイズを識別するためにも、識別されたＭＣＳテーブルを使用する。前に説明したように、ＭＣＳテーブル中に含まれる各ＭＣＳインデックス値が、送信されているトランスポートブロックのサイズを示すＴＢＳテーブルにマッピングされ得る。
【０１２８】
[0145]  したがって、方法１３００は、受信された送信のためのＭＣＳならびにその送信のサイズを識別するための異なるＭＣＳテーブルの選択を与え得る。方法１３００は一実装形態にすぎないこと、および方法１３００の動作は、他の実装形態が可能であるように、並べ替えられるかまたは場合によっては変更され得ることに留意されたい。
【０１２９】
[0146]  ＵＥ１１５に関して、本システムおよび方法は、ＵＥ１１５上に新しい機能として実装され得る。別の例では、本システムおよび方法は、現在のＵＥカテゴリー中に実装され、および／または新しいＵＥカテゴリーを追加することによって実装され得る。本システムおよび方法は、ＵＥがサブフレームにおいて処理することが可能である最大サイズを増加させ得、および／または、各ＵＥカテゴリーにおいて現在定義されているトランスポートブロックが増加され得る。
【０１３０】
[0147]  一例では、本システムおよび方法は、より高次のＭＣＳ（たとえば、２５６ＱＡＭ）がアップリンクのためにサポートされる場合、アップリンク送信に適用され得る。一構成では、アップリンク送信のためにＭＣＳを識別するために使用される新しいＭＣＳテーブルが、ダウンリンク送信のためにＭＣＳを決定するために使用される新しいＭＣＳテーブルとは異なり得る。
【０１３１】
[0148]  図１４は、ワイヤレス通信のための方法１４００の一例を示すフローチャートである。明快のために、方法１４００について、図１、図５、図６、図７、および／または図８のｅＮＢ１０５に関して以下で説明する。場合によっては、方法１４００について、図４Ｃの例示的なＭＣＳテーブルに関して以下で説明する。一実装形態では、図５、図６、図７、および／または図８のｅＮＢテーブル選択モジュール５１０は、以下で説明する機能を実施するためにｅＮＢ１０５の機能要素を制御するためのコードの１つまたは複数のセットを実行し得る。
【０１３２】
[0149]  ブロック１４０５において、少なくとも２つのＭＣＳテーブルの使用をサポートする。ブロック１４１０において、ＭＣＳテーブルのうちの１つを識別する。ブロック１４１５において、送信のためのＭＣＳを識別するために、識別されたＭＣＳテーブルを使用する。識別されたＭＣＳはダウンリンク送信のためのものであり得る。一構成では、識別されたＭＣＳはアップリンク送信のためのものであり得る。ＭＣＳテーブルのうちの少なくとも１つが、限定はしないが２５６ＱＡＭなど、より高次の変調方式をサポートし得る。
【０１３３】
[0150]  したがって、方法１４００は、送信のためのＭＣＳを識別するための異なるＭＣＳテーブルの選択を与え得る。方法１４００は一実装形態にすぎないこと、および方法１４００の動作は、他の実装形態が可能であるように、並べ替えられるかまたは場合によっては変更され得ることに留意されたい。
【０１３４】
[0151]  図１５は、ワイヤレス通信のための方法１５００の一例を示すフローチャートである。明快のために、方法１５００について、図１、図５、図６、図７、および／または図８のｅＮＢ１０５に関して以下で説明する。場合によっては、方法１５００について、図４Ｃの例示的なＭＣＳテーブルに関して以下で説明する。一実装形態では、図５、図６、図７、および／または図８のｅＮＢテーブル選択モジュール５１０は、以下で説明する機能を実施するためにｅＮＢ１０５の機能要素を制御するためのコードの１つまたは複数のセットを実行し得る。
【０１３５】
[0152]  ブロック１５０５において、少なくとも２つのＭＣＳテーブルの使用をサポートする。ブロック１５１０において、ＭＣＳテーブルの各々をＴＢＳテーブルにマッピングする。ブロック１５２０において、ＤＣＩフォーマットを識別する。ブロック１５２５において、識別されたＤＣＩフォーマットに少なくとも部分的に基づいてＭＣＳテーブルのうちの１つを識別する。ブロック１５３０において、送信のためのＭＣＳを識別するために、識別されたＭＣＳテーブルを使用する。
【０１３６】
[0153]  したがって、方法１５００は、異なるＭＣＳテーブルをＴＢＳテーブルにマッピングし、ＤＣＩフォーマットに基づいてＭＣＳテーブルを選択することを与え得る。方法１５００は一実装形態にすぎないこと、および方法１５００の動作は、他の実装形態が可能であるように、並べ替えられるかまたは場合によっては変更され得ることに留意されたい。
【０１３７】
[0154]  図１６は、ワイヤレス通信のための方法１６００の一例を示すフローチャートである。明快のために、方法１６００について、図１、図５、図６、図７、および／または図８のｅＮＢ１０５に関して以下で説明する。場合によっては、方法１６００について、図４Ｂの例示的なＣＱＩテーブルに関して以下で説明する。一実装形態では、図５、図６、図７、および／または図８のｅＮＢテーブル選択モジュール５１０は、以下で説明する機能を実施するためにｅＮＢ１０５の機能要素を制御するためのコードの１つまたは複数のセットを実行し得る。
【０１３８】
[0155]  ブロック１６０５において、少なくとも２つのＣＱＩテーブルの使用をサポートする。ブロック１６１０において、ワイヤレスチャネルのためのＣＱＩデータを受信する。ブロック１６１５において、ＣＱＩテーブルのうちの１つを識別する。識別されたテーブルは、受信されたＣＱＩデータに基づいてＣＱＩ値を識別するために使用され得る。
【０１３９】
[0156]  したがって、方法１６００は、受信されたＣＱＩデータに基づくＣＱＩ値を識別するためのＣＱＩテーブルの選択を与え得る。方法１６００は一実装形態にすぎないこと、および方法１６００の動作は、他の実装形態が可能であるように、並べ替えられるかまたは場合によっては変更され得ることに留意されたい。
【０１４０】
[0157]  添付の図面に関して上記に記載した詳細な説明は、例示的な例について説明しており、実装され得るまたは特許請求の範囲内に入る例のみを表すものではない。この説明全体にわたって使用する「例示的」という用語は、「例、事例、または例示の働きをすること」を意味し、「好ましい」または「他の例よりも有利な」を意味しない。詳細な説明は、説明した技法の理解を与えるために、具体的な詳細を含む。ただし、これらの技法は、これらの具体的な詳細なしに実施され得る。いくつかの事例では、説明した例の概念を不明瞭にすることを回避するために、よく知られている構造およびデバイスをブロック図の形式で示す。
【０１４１】
[0158]  上記で説明した技法は、ＣＤＭＡ、ＴＤＭＡ、ＦＤＭＡ、ＯＦＤＭＡ、ＳＣ−ＦＤＭＡ、および他のシステムなどの様々なワイヤレス通信システムのために使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ：Universal Terrestrial Radio Access）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標））およびＣＤＭＡの他の変形態を含む。ＴＤＭＡシステムは、モバイル通信用グローバルシステム（ＧＳＭ（登録商標）：Global System for Mobile Communications）などの無線技術を実装し得る。ＯＦＤＭＡシステムは、ウルトラモバイルブロードバンド（ＵＭＢ：Ultra Mobile Broadband）、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭ（登録商標）などの無線技術を実装し得る。ＵＴＲＡおよびＥ−ＵＴＲＡは、ユニバーサルモバイルテレコミュニケーションシステム（ＵＭＴＳ：Universal Mobile Telecommunication System）の一部である。３ＧＰＰ（登録商標）ロングタームエボリューション（ＬＴＥ：Long Term Evolution）およびＬＴＥアドバンスト（ＬＴＥ−Ａ：LTE-Advanced）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ：3rd Generation Partnership Project）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明した技法は、上記のシステムおよび無線技術、ならびに他のシステムおよび無線技術のために使用され得る。ただし、以下の説明では、例としてＬＴＥシステムについて説明し、以下の説明の大部分においてＬＴＥ用語が使用されるが、本技法はＬＴＥ適用例以外に適用可能である。
【０１４２】
[0159]  情報および信号は、多種多様な技術および技法のいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１４３】
[0160]  本明細書の開示に関して説明した様々な例示的なブロックおよびモジュールは、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実施するように設計されたそれらの任意の組合せを用いて実装または実施され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成としても実装され得る。
【０１４４】
[0161]  本明細書で説明した機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとしてコンピュータ可読媒体上に記憶されるか、あるいはコンピュータ可読媒体を介して送信され得る。他の例および実装形態は、本開示および添付の特許請求の範囲および趣旨内に入る。たとえば、ソフトウェアの性質により、上記で説明した機能は、プロセッサ、ハードウェア、ファームウェア、ハードワイヤリング、またはこれらのうちのいずれかの組合せによって実行されるソフトウェアを使用して実装され得る。機能を実装する特徴はまた、機能の部分が、異なる物理ロケーションにおいて実装されるように分散されることを含めて、様々な位置に物理的に配置され得る。また、特許請求の範囲を含めて、本明細書で使用される場合、「のうちの少なくとも１つ」で終わる項目の列挙中で使用される「または」は、たとえば、「Ａ、Ｂ、またはＣのうちの少なくとも１つ」の列挙は、ＡまたはＢまたはＣまたはＡＢまたはＡＣまたはＢＣまたはＡＢＣ（すなわち、ＡおよびＢおよびＣ）を意味するような選言的列挙を示す。
【０１４５】
[0162]  コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、コンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータまたは汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびｂｌｕ−ｒａｙ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含まれる。
【０１４６】
[0163]  本開示についての以上の説明は、当業者が本開示を作成または使用することができるように与えたものである。本開示への様々な修正は当業者には容易に明らかとなり、本明細書で定義された一般原理は、本開示の趣旨または範囲から逸脱することなく他の変形形態に適用され得る。本開示全体にわたって、「例」または「例示的」という用語は、一例または一事例を示すものであり、言及した例についての選好を暗示せず、または必要としない。したがって、本開示は、本明細書で説明した例および設計に限定されるべきでなく、本明細書で開示する原理および新規の特徴に合致する最も広い範囲を与えられるべきである。
【図１】
2018152880.tif 000008
【図２】
2018152880.tif 000009
【図３】
2018152880.tif 000010
【図４Ａ】
2018152880.tif 000011
【図４Ｂ】
2018152880.tif 000012
【図４Ｃ】
2018152880.tif 000013
【図５】
2018152880.tif 000014
【図６】
2018152880.tif 000015
【図７】
2018152880.tif 000016
【図８】
2018152880.tif 000017
【図９】
2018152880.tif 000018
【図１０】
2018152880.tif 000019
【図１１】
2018152880.tif 000020
【図１２】
2018152880.tif 000021
【図１３】
2018152880.tif 000022
【図１４】
2018152880.tif 000023
【図１５】
2018152880.tif 000024
【図１６】
2018152880.tif 000025
【手続補正書】
【提出日】平成30年6月8日(2018.6.8)
【手続補正１】
【補正対象書類名】特許請求の範囲
【補正対象項目名】全文
【補正方法】変更
【補正の内容】
【特許請求の範囲】
【請求項１】
ワイヤレスデバイスによって、少なくとも２つのサポートされるチャネル品質インジケータ（ＣＱＩ）テーブルのうちの１つを識別することと、ここにおいて、前記識別されたＣＱＩテーブルは、２５６直交振幅変調（ＱＡＭ）をサポートする第１のＣＱＩテーブルである、
前記識別されたＣＱＩテーブルに少なくとも部分的に基づいて、前記少なくとも２つのサポートされるＣＱＩテーブルのうちの第２のＣＱＩテーブルに基づくＣＱＩ値と同じビット数を有する、ワイヤレスチャネルのためのＣＱＩ値を生成することと、ここにおいて、前記第２のＣＱＩテーブルは、２５６ＱＡＭをサポートしていない、
前記ワイヤレスデバイスによって、前記ワイヤレスチャネルのための前記ＣＱＩ値を送信することと
を備える、ワイヤレス通信のための方法。
【請求項２】
前記少なくとも２つのＣＱＩテーブルのうちの１つを前記識別することは、
複数のチャネル状態情報（ＣＳＩ）識別からの、ＣＳＩの識別に少なくとも部分的に基づいて、前記第１のＣＱＩテーブルを識別すること
を備える、請求項１に記載の方法。
【請求項３】
前記複数のＣＳＩ識別の各々がそれぞれのサブフレームのセットに関連付けられた、請求項２に記載の方法。
【請求項４】
第１のチャネル状態情報（ＣＳＩ）プロセスのために使用すべき前記第１のＣＱＩテーブルを識別することと、
第２のＣＳＩプロセスのために使用すべき前記第２のＣＱＩテーブルを識別することと、前記第２のＣＳＩプロセスが前記第１のＣＳＩプロセスとは異なる、
をさらに備え、
ここにおいて、前記第１のＣＳＩプロセスが識別される、請求項１に記載の方法。
【請求項５】
前記少なくとも２つのＣＱＩテーブルのうちの１つを前記識別することが、
あらかじめ定義された構成設定に従って、前記ＣＱＩ値を生成するために使用すべき前記第１のＣＱＩテーブルを選択すること
を備える、請求項１に記載の方法。
【請求項６】
前記少なくとも２つのＣＱＩテーブルのうちの１つを前記識別することが、
前記ＣＱＩ値を生成するために使用すべき前記第１のＣＱＩテーブルを動的に選択すること
を備える、請求項１に記載の方法。
【請求項７】
前記ＣＱＩ値が制御チャネルを介して送信されるべきかデータチャネルを介して送信されるべきかを決定することと、
前記ＣＱＩ値が前記制御チャネルを介して送信されるべきであると決定すると、使用すべき前記第１のＣＱＩテーブルを識別することと、
前記ＣＱＩ値が前記データチャネルを介して送信されるべきであると決定すると、使用すべき前記第２のＣＱＩテーブルを識別することと、前記第２のＣＱＩテーブルが前記第１のＣＱＩテーブルとは異なる、
をさらに備える、請求項１に記載の方法。
【請求項８】
前記ＣＱＩ値が周期チャネル状態情報（Ｐ−ＣＳＩ）報告の一部であるか非周期チャネル状態情報（Ａ−ＣＳＩ）報告の一部であるのかを決定することと、
前記ＣＱＩ値が前記Ｐ−ＣＳＩ報告の一部であると決定すると、使用すべき前記第１のＣＱＩテーブルを識別することと、
前記ＣＱＩ値が前記Ａ−ＣＳＩ報告の一部であると決定すると、使用すべき前記第２のＣＱＩテーブルを識別することと、前記第２のＣＱＩテーブルが前記第１のＣＱＩテーブルとは異なる、
をさらに備える、請求項１に記載の方法。
【請求項９】
前記ワイヤレスチャネルのための前記ＣＱＩ値を前記生成することは、
前記第１のＣＱＩテーブルを使用して第１のＣＱＩ値を生成すること
を備え、前記方法は、
前記第２のＣＱＩテーブルを使用して第２のＣＱＩ値を生成すること
をさらに備え、
前記ワイヤレスチャネルのための前記ＣＱＩ値を送信することは、
単一のサブフレームにおいてワイヤレスチャネルを介して前記第１のＣＱＩ値と前記第２のＣＱＩ値とを送信すること
を備える、請求項１に記載の方法。
【請求項１０】
前記少なくとも２つのＣＱＩテーブルが少なくとも１つの共通データエントリを備える、請求項１に記載の方法。
【請求項１１】
前記少なくとも２つのＣＱＩテーブルのうちのＣＱＩテーブルがＣＱＩ値のリスティングを備え、各ＣＱＩ値がスペクトル効率値にマッピングされる、請求項１に記載の方法。
【請求項１２】
プロセッサと、
前記プロセッサと電子通信しているメモリと、
前記メモリに記憶された命令と
を備え、前記命令が、
少なくとも２つのサポートされるチャネル品質インジケータ（ＣＱＩ）テーブルのうちの１つを識別することと、ここにおいて、前記識別されたＣＱＩテーブルは、２５６直交振幅変調（ＱＡＭ）をサポートする第１のＣＱＩテーブルである、
前記ＣＱＩテーブルを前記識別することに少なくとも部分的に基づいて、前記少なくとも２つのサポートされるＣＱＩテーブルのうちの第２のＣＱＩテーブルに基づくＣＱＩ値と同じビット数を有する、ワイヤレスチャネルのためのＣＱＩ値を生成することと、ここにおいて、前記第２のＣＱＩテーブルは、２５６ＱＡＭをサポートしていない、
前記ワイヤレスチャネルのための前記ＣＱＩ値を送信することと
を行うように前記プロセッサによって実行可能である、ワイヤレス通信のための装置。
【請求項１３】
前記少なくとも２つのＣＱＩテーブルのうちの１つを識別するための前記命令は、
複数のチャネル状態情報（ＣＳＩ）識別からの、ＣＳＩの識別に少なくとも部分的に基づいて、前記第１のＣＱＩテーブルを識別すること
を行うように前記プロセッサによって実行可能である、請求項１２に記載の装置。
【請求項１４】
前記複数のＣＳＩ識別の各々がそれぞれのサブフレームのセットに関連付けられた、請求項１３に記載の装置。
【請求項１５】
前記命令は、
第１のチャネル状態情報（ＣＳＩ）プロセスのために使用すべき前記第１のＣＱＩテーブルを識別することと、
第２のＣＳＩプロセスのために使用すべき前記第２のＣＱＩテーブルを識別することと、前記第２のＣＳＩプロセスが前記第１のＣＳＩプロセスとは異なる、
を行うように前記プロセッサによって実行可能であり、
ここにおいて、前記第１のＣＳＩプロセスが識別される、請求項１２に記載の装置。
【請求項１６】
前記少なくとも２つのＣＱＩテーブルのうちの１つを識別するための前記命令が、
あらかじめ定義された構成設定に従って、前記ＣＱＩ値を生成するために使用すべき前記第１のＣＱＩテーブルを選択する
ように前記プロセッサによって実行可能である、請求項１２に記載の装置。
【請求項１７】
前記少なくとも２つのＣＱＩテーブルのうちの１つを識別するための前記命令が、
前記ＣＱＩ値を生成するために使用すべき前記第１のＣＱＩテーブルを動的に選択する
ように前記プロセッサによって実行可能である、請求項１２に記載の装置。
【請求項１８】
前記命令は、
前記ＣＱＩ値が制御チャネルを介して送信されるべきかデータチャネルを介して送信されるべきかを決定することと、
前記ＣＱＩ値が前記制御チャネルを介して送信されるべきであると決定すると、使用すべき前記第１のＣＱＩテーブルを識別することと、
前記ＣＱＩ値が前記データチャネルを介して送信されるべきであると決定すると、使用すべき前記第２のＣＱＩテーブルを識別することと、前記第２のＣＱＩテーブルが前記第１のＣＱＩテーブルとは異なる、
を行うように前記プロセッサによって実行可能である、請求項１２に記載の装置。
【請求項１９】
前記命令は、
前記ＣＱＩ値が周期チャネル状態情報（Ｐ−ＣＳＩ）報告の一部であるか非周期チャネル状態情報（Ａ−ＣＳＩ）報告の一部であるかを決定することと、
前記ＣＱＩ値が前記Ｐ−ＣＳＩ報告の一部であると決定すると、使用すべき前記第１のＣＱＩテーブルを識別することと、
前記ＣＱＩ値が前記Ａ−ＣＳＩ報告の一部であると決定すると、使用すべき前記第２のＣＱＩテーブルを識別することと、前記第２のＣＱＩテーブルが前記第１のＣＱＩテーブルとは異なる、
を行うように前記プロセッサによって実行可能である、請求項１２に記載の装置。
【請求項２０】
前記ワイヤレスチャネルのための前記ＣＱＩ値を生成するための前記命令が、
前記第１のＣＱＩテーブルを使用して第１のＣＱＩ値を生成する
ように前記プロセッサによって実行可能であり、前記命令は、
前記第２のＣＱＩテーブルを使用して第２のＣＱＩ値を生成する
ように前記プロセッサによってさらに実行可能であり、
前記ワイヤレスチャネルのための前記ＣＱＩ値を送信するための前記命令は、
単一のサブフレームにおいてワイヤレスチャネルを介して前記第１のＣＱＩ値と前記第２のＣＱＩ値とを送信する
ように前記プロセッサによって実行可能である、請求項１２に記載の装置。
【請求項２１】
前記少なくとも２つのＣＱＩテーブルが少なくとも１つの共通データエントリを備える、請求項１２に記載の装置。
【請求項２２】
前記少なくとも２つのＣＱＩテーブルのうちのＣＱＩテーブルがＣＱＩ値のリスティングを備え、各ＣＱＩ値がスペクトル効率値にマッピングされる、請求項１２に記載の装置。
【請求項２３】
少なくとも２つのサポートされるチャネル品質インジケータ（ＣＱＩ）テーブルのうちの１つを識別するための手段と、ここにおいて、前記識別されたＣＱＩテーブルは、２５６直交振幅変調（ＱＡＭ）をサポートする第１のＣＱＩテーブルである、
前記ＣＱＩテーブルを前記識別することに少なくとも部分的に基づいて、前記少なくとも２つのサポートされるＣＱＩテーブルのうちの第２のＣＱＩテーブルに基づくＣＱＩ値と同じビット数を有する、ワイヤレスチャネルのためのＣＱＩ値を生成するための手段と、ここにおいて、前記第２のＣＱＩテーブルは、２５６ＱＡＭをサポートしていない、
前記ワイヤレスチャネルのための前記ＣＱＩ値を送信するための手段と
を備える、ワイヤレス通信のための装置。
【請求項２４】
前記少なくとも２つのＣＱＩテーブルのうちの１つを識別するための前記手段は、
複数のチャネル状態情報（ＣＳＩ）識別からの、ＣＳＩの識別に少なくとも部分的に基づいて、前記第１のＣＱＩテーブルを識別するための手段
を備える、請求項２３に記載の装置。
【請求項２５】
前記複数のＣＳＩ識別の各々がそれぞれのサブフレームのセットに関連付けられた、請求項２４に記載の装置。
【請求項２６】
前記ＣＱＩ値が制御チャネルを介して送信されるべきかデータチャネルを介して送信されるべきかを決定するための手段と、
前記ＣＱＩ値が前記制御チャネルを介して送信されるべきであると決定すると、使用すべき前記第１のＣＱＩテーブルを識別するための手段と、
前記ＣＱＩ値が前記データチャネルを介して送信されるべきであると決定すると、使用すべき前記第２のＣＱＩテーブルを識別するための手段と、前記第２のＣＱＩテーブルが前記第１のＣＱＩテーブルとは異なる、
をさらに備える、請求項２３に記載の装置。
【請求項２７】
ワイヤレス通信を管理するためのコンピュータプログラム製品であって、前記コンピュータプログラム製品は、
少なくとも２つのサポートされるチャネル品質インジケータ（ＣＱＩ）テーブルのうちの１つを識別することと、ここにおいて、前記識別されたＣＱＩテーブルは、２５６直交振幅変調（ＱＡＭ）をサポートする第１のＣＱＩテーブルである、
前記ＣＱＩテーブルを前記識別することに少なくとも部分的に基づいて、前記少なくとも２つのサポートされるＣＱＩテーブルのうちの第２のＣＱＩテーブルに基づくＣＱＩ値と同じビット数を有する、ワイヤレスチャネルのためのＣＱＩ値を生成することと、ここにおいて、前記第２のＣＱＩテーブルは、２５６ＱＡＭをサポートしていない、
前記ワイヤレスチャネルのための前記ＣＱＩ値を送信することと
を行うようにプロセッサによって実行可能な命令を記憶する非一時的コンピュータ可読媒体を備える、コンピュータプログラム製品。
【請求項２８】
ワイヤレスデバイスによって、ワイヤレスチャネルのためのチャネル品質インジケータ（ＣＱＩ）データを受信することと、
前記ワイヤレスデバイスによって、ＣＱＩ値を識別するために使用すべき少なくとも２つのサポートされるＣＱＩテーブルのうちの１つを識別することと、ここにおいて、前記識別されたＣＱＩテーブルは、２５６直交振幅変調（ＱＡＭ）をサポートする第１のＣＱＩテーブルである、
前記受信されたＣＱＩデータおよび前記識別されたＣＱＩテーブルに少なくとも部分的に基づいて、前記ＣＱＩ値を識別することと、ここにおいて、どのＣＱＩテーブルが識別されたかにかかわらず、前記ＣＱＩ値を表すために同じビット数が使用される、
を備える、ワイヤレス通信のための方法。
【請求項２９】
前記少なくとも２つのＣＱＩテーブルのうちの１つを前記識別することが、
あらかじめ定義された構成設定に従って、前記ＣＱＩ値を識別するために使用すべき前記第１のＣＱＩテーブルを選択すること
を備える、請求項２８に記載の方法。
【請求項３０】
前記少なくとも２つのＣＱＩテーブルのうちの１つを前記識別することが、
前記ＣＱＩ値を識別するために使用すべき前記第１のＣＱＩテーブルを動的に選択すること
を備える、請求項２８に記載の方法。
【請求項３１】
プロセッサと、
前記プロセッサと電子通信しているメモリと、
前記メモリに記憶された命令と
を備え、前記命令が、
ワイヤレスチャネルのためのチャネル品質インジケータ（ＣＱＩ）データを受信することと、
ＣＱＩ値を識別するために使用すべき少なくとも２つのサポートされるＣＱＩテーブルのうちの１つを識別することと、ここにおいて、前記識別されたＣＱＩテーブルは、２５６直交振幅変調（ＱＡＭ）をサポートする第１のＣＱＩテーブルである、
前記ＣＱＩデータを前記受信することと前記ＣＱＩテーブルを前記識別することとに少なくとも部分的に基づいて、前記ＣＱＩ値を識別することと、ここにおいて、どのＣＱＩテーブルが識別されたかにかかわらず、前記ＣＱＩ値を表すために同じビット数が使用される、
を行うように前記プロセッサによって実行可能である、ワイヤレス通信のための装置。
【請求項３２】
ワイヤレスチャネルのためのチャネル品質インジケータ（ＣＱＩ）データを受信するための手段と、
ＣＱＩ値を識別するために使用すべき少なくとも２つのサポートされるＣＱＩテーブルのうちの１つを識別するための手段と、ここにおいて、前記識別されたＣＱＩテーブルは、２５６直交振幅変調（ＱＡＭ）をサポートする第１のＣＱＩテーブルである、
前記ＣＱＩデータを前記受信することと前記ＣＱＩテーブルを前記識別することとに少なくとも部分的に基づいて、前記ＣＱＩ値を識別するための手段と、ここにおいて、どのＣＱＩテーブルが識別されたかにかかわらず、前記ＣＱＩ値を表すために同じビット数が使用される、
を備える、ワイヤレス通信のための装置。
【請求項３３】
ワイヤレス通信を管理するためのコンピュータプログラム製品であって、前記コンピュータプログラム製品は、
ワイヤレスチャネルのためのチャネル品質インジケータ（ＣＱＩ）データを受信することと、
ＣＱＩ値を識別するために使用すべき少なくとも２つのサポートされるＣＱＩテーブルのうちの１つを識別することと、ここにおいて、前記識別されたＣＱＩテーブルは、２５６直交振幅変調（ＱＡＭ）をサポートする第１のＣＱＩテーブルである、
前記ＣＱＩデータを前記受信することと前記ＣＱＩテーブルを前記識別することとに少なくとも部分的に基づいて、前記ＣＱＩ値を識別することと、ここにおいて、どのＣＱＩテーブルが識別されたかにかかわらず、前記ＣＱＩ値を表すために同じビット数が使用される、
を行うようにプロセッサによって実行可能な命令を記憶する非一時的コンピュータ可読媒体を備える、コンピュータプログラム製品。
【手続補正２】
【補正対象書類名】明細書
【補正対象項目名】０１４６
【補正方法】変更
【補正の内容】
【０１４６】
[0163]  本開示についての以上の説明は、当業者が本開示を作成または使用することができるように与えたものである。本開示への様々な修正は当業者には容易に明らかとなり、本明細書で定義された一般原理は、本開示の趣旨または範囲から逸脱することなく他の変形形態に適用され得る。本開示全体にわたって、「例」または「例示的」という用語は、一例または一事例を示すものであり、言及した例についての選好を暗示せず、または必要としない。したがって、本開示は、本明細書で説明した例および設計に限定されるべきでなく、本明細書で開示する原理および新規の特徴に合致する最も広い範囲を与えられるべきである。
以下に本願の出願当初の特許請求の範囲に記載された発明を付記する。
［Ｃ１］  少なくとも２つのチャネル品質インジケータ（ＣＱＩ）テーブルの使用をサポートすることと、
前記少なくとも２つのＣＱＩテーブルのうちの１つを識別することと、
ワイヤレスチャネルのためのＣＱＩ値を生成するために、前記識別されたＣＱＩテーブルを使用することと
を備える、ワイヤレス通信のための方法。
［Ｃ２］  どのＣＱＩテーブルが識別されたかにかかわらず、前記ＣＱＩ値を表すために同じビット数が使用される、Ｃ１に記載の方法。
［Ｃ３］  前記ＣＱＩテーブルの前記識別が、複数のチャネル状態情報（ＣＳＩ）識別からの、ＣＳＩの識別に少なくとも部分的に基づき、ここで、前記ＣＳＩが周期ＣＳＩまたは非周期ＣＳＩのうちの少なくとも１つである、Ｃ１に記載の方法。
［Ｃ４］  前記複数のＣＳＩ識別の各々がサブフレームのセットに関連付けられ、ここで、サブフレームの前記セットが、半静的構成または半静的指示に少なくとも部分的に基づいて決定される、Ｃ３に記載の方法。
［Ｃ５］  第１のチャネル状態情報（ＣＳＩ）プロセスのために使用すべき第１のＣＱＩテーブルを識別することと、
第２のＣＳＩプロセスのために使用すべき第２のＣＱＩテーブルを識別することと、前記第２のＣＳＩプロセスが前記第１のＣＳＩプロセスとは異なる、
をさらに備える、Ｃ１に記載の方法。
［Ｃ６］  前記少なくとも２つのＣＱＩテーブルのうちの１つを前記識別することが、
あらかじめ定義された構成設定に従って、前記ＣＱＩ値を生成するために使用すべき前記ＣＱＩテーブルを選択すること
を備える、Ｃ１に記載の方法。
［Ｃ７］  前記少なくとも２つのＣＱＩテーブルのうちの１つを前記識別することが、
前記ＣＱＩ値を生成するために使用すべき前記ＣＱＩテーブルを動的に選択することを備える、Ｃ１に記載の方法。
［Ｃ８］  前記ＣＱＩ値が制御チャネルを介して送信されるべきかデータチャネルを介して送信されるべきかを決定することと、
前記ＣＱＩ値が前記制御チャネルを介して送信されるべきであると決定すると、使用すべき第１のＣＱＩテーブルを識別することと、
前記ＣＱＩ値が前記データチャネルを介して送信されるべきであると決定すると、使用すべき第２のＣＱＩテーブルを識別することと、前記第２のＣＱＩテーブルが前記第１のＣＱＩテーブルとは異なる、
をさらに備える、Ｃ１に記載の方法。
［Ｃ９］  前記第１のＣＱＩテーブルを識別すると、前記第１のＣＱＩテーブルに基づいて前記ＣＱＩ値を表すために第１のビット数を使用することと、
前記第２のＣＱＩテーブルを識別すると、前記第２のＣＱＩテーブルに基づいて前記ＣＱＩ値を表すために第２のビット数を使用することと、前記第２のビット数が前記第１のビット数よりも大きい、
をさらに備える、Ｃ８に記載の方法。
［Ｃ１０］  前記ＣＱＩ値が周期チャネル状態情報（Ｐ−ＣＳＩ）報告の一部であるか非周期チャネル状態情報（Ａ−ＣＳＩ）報告の一部であるのかを決定することと、
前記ＣＱＩ値が前記Ｐ−ＣＳＩ報告の一部の場合と決定すると、使用すべき第１のＣＱＩテーブルを識別することと、
前記ＣＱＩ値が前記Ａ−ＣＳＩ報告の一部であると決定すると、使用すべき第２のＣＱＩテーブルを識別することと、前記第２のＣＱＩテーブルが前記第１のＣＱＩテーブルとは異なる、
をさらに備える、Ｃ１に記載の方法。
［Ｃ１１］  第１のＣＱＩテーブルを使用して第１のＣＱＩ値を生成することと、
第２のＣＱＩテーブルを使用して第２のＣＱＩ値を生成することと、
単一のサブフレームにおいてワイヤレスチャネルを介して前記第１のＣＱＩ値と前記第２のＣＱＩ値とを送信することと
をさらに備える、Ｃ１に記載の方法。
［Ｃ１２］  前記少なくとも２つのＣＱＩテーブルが少なくとも１つの共通データエントリを備える、Ｃ１に記載の方法。
［Ｃ１３］  ＣＱＩテーブルがＣＱＩ値のリスティングを備え、各ＣＱＩ値がスペクトル効率値にマッピングされる、Ｃ１に記載の方法。
［Ｃ１４］  前記識別されたＣＱＩ報告テーブルのうちの少なくとも１つが２５６直交振幅変調（ＱＡＭ）をサポートする、Ｃ１に記載の方法。
［Ｃ１５］  プロセッサと、
前記プロセッサと電子通信しているメモリと、
前記メモリに記憶された命令と
を備え、前記命令が、
少なくとも２つのチャネル品質インジケータ（ＣＱＩ）報告テーブルの使用をサポートすることと、
前記少なくとも２つのＣＱＩテーブルのうちの１つを識別することと、
ワイヤレスチャネルのためのＣＱＩ値を生成するために、前記識別されたＣＱＩテーブルを使用することと
を行うように前記プロセッサによって実行可能である、ワイヤレス通信のための装置。
［Ｃ１６］  どのＣＱＩテーブルが識別されたかにかかわらず、前記ＣＱＩ値を表すために同じビット数が使用される、Ｃ１５に記載の装置。
［Ｃ１７］  前記ＣＱＩテーブルの前記識別が、複数のチャネル状態情報（ＣＳＩ）識別からの、ＣＳＩの識別に少なくとも部分的に基づき、ここで、前記ＣＳＩが周期ＣＳＩまたは非周期ＣＳＩのうちの少なくとも１つである、Ｃ１５に記載の装置。
［Ｃ１８］  前記複数のＣＳＩ識別の各々がサブフレームのセットに関連付けられ、ここで、サブフレームの前記セットが、半静的構成または半静的指示に少なくとも部分的に基づいて決定される、Ｃ１７に記載の装置。
［Ｃ１９］  前記命令は、
第１のチャネル状態情報（ＣＳＩ）プロセスのために使用すべき第１のＣＱＩテーブルを識別することと、
第２のＣＳＩプロセスのために使用すべき第２のＣＱＩテーブルを識別することと、前記第２のＣＳＩプロセスが前記第１のＣＳＩプロセスとは異なる、
を行うように前記プロセッサによって実行可能である、Ｃ１５に記載の装置。
［Ｃ２０］  前記少なくとも２つのＣＱＩテーブルのうちの１つを識別するための前記命令が、
あらかじめ定義された構成設定に従って、前記ＣＱＩ値を生成するために使用すべき前記ＣＱＩテーブルを選択する
ように前記プロセッサによって実行可能である、Ｃ１５に記載の装置。
［Ｃ２１］  前記少なくとも２つのＣＱＩテーブルのうちの１つを識別するための前記命令が、
前記ＣＱＩ値を生成するために使用すべき前記ＣＱＩテーブルを動的に選択する
ように前記プロセッサによって実行可能である、Ｃ１５に記載の装置。
［Ｃ２２］  前記命令は、
前記ＣＱＩ値が制御チャネルを介して送信されるべきかデータチャネルを介して送信されるべきかを決定することと、
前記ＣＱＩ値が前記制御チャネルを介して送信されるべきであると決定すると、使用すべき第１のＣＱＩテーブルを識別することと、
前記ＣＱＩ値が前記データチャネルを介して送信されるべきであると決定すると、使用すべき第２のＣＱＩテーブルを識別することと、前記第２のＣＱＩテーブルが前記第１のＣＱＩテーブルとは異なる、
を行うように前記プロセッサによって実行可能である、Ｃ１５に記載の装置。
［Ｃ２３］  前記命令は、
前記第１のＣＱＩテーブルを識別すると、前記第１のＣＱＩテーブルに基づいて前記ＣＱＩ値を表すために第１のビット数を使用することと、
前記第２のＣＱＩテーブルを識別すると、前記第２のＣＱＩテーブルに基づいて前記ＣＱＩ値を表すために第２のビット数を使用することと、前記第２のビット数が前記第１のビット数よりも大きい、
を行うように前記プロセッサによって実行可能である、Ｃ１５に記載の装置。
［Ｃ２４］  前記命令は、
前記ＣＱＩ値が周期チャネル状態情報（Ｐ−ＣＳＩ）報告の一部であるか非周期チャネル状態情報（Ａ−ＣＳＩ）報告の一部であるかを決定することと、
前記ＣＱＩ値が前記Ｐ−ＣＳＩ報告の一部の場合と決定すると、使用すべき第１のＣＱＩテーブルを識別することと、
前記ＣＱＩ値が前記Ａ−ＣＳＩ報告の一部であると決定すると、使用すべき第２のＣＱＩテーブルを識別することと、前記第２のＣＱＩテーブルが前記第１のＣＱＩテーブルとは異なる、
を行うように前記プロセッサによって実行可能である、Ｃ１５に記載の装置。
［Ｃ２５］  前記命令が、
第１のＣＱＩテーブルを使用して第１のＣＱＩ値を生成することと、
第２のＣＱＩテーブルを使用して第２のＣＱＩ値を生成することと、
単一のサブフレームにおいてワイヤレスチャネルを介して前記第１のＣＱＩ値と前記第２のＣＱＩ値とを送信することと
を行うように前記プロセッサによって実行可能である、Ｃ１５に記載の装置。
［Ｃ２６］  前記少なくとも２つのＣＱＩテーブルが少なくとも１つの共通データエントリを備える、Ｃ１５に記載の装置。
［Ｃ２７］  ＣＱＩテーブルがＣＱＩ値のリスティングを備え、各ＣＱＩ値がスペクトル効率値にマッピングされる、Ｃ１５に記載の装置。
［Ｃ２８］  前記識別されたＣＱＩ報告テーブルのうちの少なくとも１つが２５６直交振幅変調（ＱＡＭ）をサポートする、Ｃ１５に記載の装置。
［Ｃ２９］  少なくとも２つのチャネル品質インジケータ（ＣＱＩ）報告テーブルの使用をサポートするための手段と、
前記少なくとも２つのＣＱＩテーブルのうちの１つを識別するための手段と、
ワイヤレスチャネルのためのＣＱＩ値を生成するために、前記識別されたＣＱＩテーブルを使用するための手段と
を備える、ワイヤレス通信のための装置。
［Ｃ３０］  どのＣＱＩテーブルが識別されたかにかかわらず、前記ＣＱＩ値を表すために同じビット数が使用される、Ｃ２９に記載の装置。
［Ｃ３１］  前記ＣＱＩテーブルの前記識別が、複数のチャネル状態情報（ＣＳＩ）識別からの、ＣＳＩの識別に少なくとも部分的に基づき、ここで、前記ＣＳＩが周期ＣＳＩまたは非周期ＣＳＩのうちの少なくとも１つである、Ｃ２９に記載の装置。
［Ｃ３２］  前記複数のＣＳＩ識別の各々がサブフレームのセットに関連付けられ、ここで、サブフレームの前記セットが、半静的構成または半静的指示に少なくとも部分的に基づいて決定される、Ｃ３１に記載の装置。
［Ｃ３３］  前記ＣＱＩ値が制御チャネルを介して送信されるべきかデータチャネルを介して送信されるべきかを決定するための手段と、
前記ＣＱＩ値が前記制御チャネルを介して送信されるべきであると決定すると、使用すべき第１のＣＱＩテーブルを識別するための手段と、
前記ＣＱＩ値が前記データチャネルを介して送信されるべきであると決定すると、使用すべき第２のＣＱＩテーブルを識別するための手段と、前記第２のＣＱＩテーブルが前記第１のＣＱＩテーブルとは異なる、
をさらに備える、Ｃ２９に記載の装置。
［Ｃ３４］  前記第１のＣＱＩテーブルを識別すると、前記第１のＣＱＩテーブルに基づいて前記ＣＱＩ値を表すために第１のビット数を使用するための手段と、
前記第２のＣＱＩテーブルを識別すると、前記第２のＣＱＩテーブルに基づいて前記ＣＱＩ値を表すために第２のビット数を使用するための手段と、前記第２のビット数が前記第１のビット数よりも大きい、
をさらに備える、Ｃ３３に記載の装置。
［Ｃ３５］  ワイヤレス通信を管理するためのコンピュータプログラム製品であって、前記コンピュータプログラム製品は、
少なくとも２つのチャネル品質インジケータ（ＣＱＩ）報告テーブルの使用をサポートすることと、
前記少なくとも２つのＣＱＩテーブルのうちの１つを識別することと、
ワイヤレスチャネルのためのＣＱＩ値を生成するために、前記識別されたＣＱＩテーブルを使用することと
を行うようにプロセッサによって実行可能な命令を記憶する非一時的コンピュータ可読媒体を備える、コンピュータプログラム製品。
［Ｃ３６］  少なくとも２つの変調およびコーディング方式（ＭＣＳ）テーブルの使用をサポートすることと、
ワイヤレスチャネルを介して送信を受信することと、
前記受信された送信のために使用すべき前記少なくとも２つのＭＣＳテーブルのうちの１つを識別することと
を備える、ワイヤレス通信のための方法。
［Ｃ３７］  前記受信された送信のために使用すべきＭＣＳを決定するために、前記識別されたＭＣＳテーブルを使用すること
をさらに備える、Ｃ３６に記載の方法。
［Ｃ３８］  第１のトランスポートブロックサイズ（ＴＢＳ）テーブルが第１のＭＣＳテーブルからマッピングされ、第２のＴＢＳテーブルが第２のＭＣＳテーブルからマッピングされ、前記第２のＴＢＳテーブルが、前記第１のＴＢＳテーブル中の最大ＴＢＳよりも大きい少なくとも１つのＴＢＳを備える、Ｃ３６に記載の方法。
［Ｃ３９］  前記識別されたＭＣＳテーブルからマッピングされたＴＢＳテーブルを識別することと、
前記受信された送信のサイズを決定するために、前記識別されたＴＢＳテーブルを使用することと
をさらに備える、Ｃ３８に記載の方法。
［Ｃ４０］  前記少なくとも２つのＭＣＳテーブルのうちの１つを前記識別することが、
前記ワイヤレスチャネルを介して、前記受信された送信を送信するために使用される送信のタイプを決定することと、
送信の前記タイプに少なくとも部分的に基づいて、前記受信された送信のために使用すべき前記少なくとも２つのＭＣＳテーブルのうちの１つを識別することと
を備える、Ｃ３６に記載の方法。
［Ｃ４１］  前記少なくとも２つのＭＣＳテーブルのうちの１つを前記識別することが、
前記受信された送信を送信するために使用される制御チャネルのタイプを識別することと、
制御チャネルの前記識別されたタイプに少なくとも部分的に基づいて、前記受信された送信のために使用すべき前記少なくとも２つのＭＣＳテーブルのうちの１つを識別することと
を備える、Ｃ３６に記載の方法。
［Ｃ４２］  アップリンク送信のために使用すべきＭＣＳを決定するために、前記識別されたＭＣＳテーブルを使用すること
をさらに備える、Ｃ３６に記載の方法。
［Ｃ４３］  第１のＭＣＳテーブルに基づいて第１のＭＣＳを表すために第１のビット数が使用され、第２のＭＣＳテーブルに基づいて第２のＭＣＳを表すために第２のビット数が使用される、Ｃ３６に記載の方法。
［Ｃ４４］  前記第１のビット数が前記第２のビット数と同じである、Ｃ４３に記載の方法。
［Ｃ４５］  前記少なくとも２つのＭＣＳテーブルのうちの１つを前記識別することが、
前記受信された送信のために使用すべき前記ＭＣＳテーブルを動的に選択すること
を備える、Ｃ３６に記載の方法。
［Ｃ４６］  前記少なくとも２つのＭＣＳテーブルのうちの１つを識別することが、
あらかじめ定義された構成設定に従って、前記受信された送信のために使用すべき前記ＭＣＳテーブルを選択すること
を備える、Ｃ３６に記載の方法。
［Ｃ４７］  プロセッサと、
前記プロセッサと電子通信しているメモリと、
前記メモリに記憶された命令と
を備え、前記命令が、
少なくとも２つの変調およびコーディング方式（ＭＣＳ）テーブルの使用をサポートすることと、
ワイヤレスチャネルを介して送信を受信することと、
前記受信された送信のために使用すべき前記少なくとも２つのＭＣＳテーブルのうちの１つを識別することと
を行うように前記プロセッサによって実行可能である、ワイヤレス通信のための装置。
［Ｃ４８］  前記命令が、
前記受信された送信のために使用すべきＭＣＳを決定するために、前記識別されたＭＣＳテーブルを使用する
ように前記プロセッサによって実行可能である、Ｃ４７に記載の装置。
［Ｃ４９］  第１のトランスポートブロックサイズ（ＴＢＳ）テーブルが第１のＭＣＳテーブルからマッピングされ、第２のＴＢＳテーブルが第２のＭＣＳテーブルからマッピングされ、前記第２のＴＢＳテーブルが、前記第１のＴＢＳテーブル中の最大ＴＢＳよりも大きい少なくとも１つのＴＢＳを備える、Ｃ４７に記載の装置。
［Ｃ５０］  前記命令が、
前記識別されたＭＣＳテーブルからマッピングされたＴＢＳテーブルを識別することと、
前記受信された送信のサイズを決定するために、前記識別されたＴＢＳテーブルを使用することと
を行うように前記プロセッサによって実行可能である、Ｃ４９に記載の装置。
［Ｃ５１］  前記少なくとも２つのＭＣＳテーブルのうちの１つを識別するための前記命令が、
前記ワイヤレスチャネルを介して、前記受信された送信を送信するために使用される送信のタイプを決定することと、
送信の前記タイプに少なくとも部分的に基づいて、前記受信された送信のために使用すべき前記少なくとも２つのＭＣＳテーブルのうちの１つを識別することと
を行うように前記プロセッサによって実行可能である、Ｃ４７に記載の装置。
［Ｃ５２］  前記少なくとも２つのＭＣＳテーブルのうちの１つを識別するための前記命令が、
前記受信された送信を送信するために使用される制御チャネルのタイプを識別することと、
制御チャネルの前記識別されたタイプに少なくとも部分的に基づいて、前記受信された送信のために使用すべき前記少なくとも２つのＭＣＳテーブルのうちの１つを識別することと
を行うように前記プロセッサによって実行可能である、Ｃ４７に記載の装置。
［Ｃ５３］  前記命令が、
アップリンク送信のために使用すべきＭＣＳを決定するために、前記識別されたＭＣＳテーブルを使用する
ように前記プロセッサによって実行可能である、Ｃ４７に記載の装置。
［Ｃ５４］  第１のＭＣＳテーブルに基づいて第１のＭＣＳを表すために第１のビット数が使用され、第２のＭＣＳテーブルに基づいて第２のＭＣＳを表すために第２のビット数が使用される、Ｃ４７に記載の装置。
［Ｃ５５］  前記第１のビット数が前記第２のビット数と同じである、Ｃ５４に記載の装置。
［Ｃ５６］  前記少なくとも２つのＭＣＳテーブルのうちの１つを識別するための前記命令が、
前記受信された送信のために使用すべき前記ＭＣＳテーブルを動的に選択する
ように前記プロセッサによって実行可能である、Ｃ４７に記載の装置。
［Ｃ５７］  前記少なくとも２つのＭＣＳテーブルのうちの１つを識別するための前記命令が、
あらかじめ定義された構成設定に従って、前記受信された送信のために使用すべき前記ＭＣＳテーブルを選択する
ように前記プロセッサによって実行可能である、Ｃ４７に記載の装置。
［Ｃ５８］  少なくとも２つの変調およびコーディング方式（ＭＣＳ）テーブルの使用をサポートするための手段と、
ワイヤレスチャネルを介して送信を受信するための手段と、
前記受信された送信のために使用すべき前記少なくとも２つのＭＣＳテーブルのうちの１つを識別するための手段と
を備える、ワイヤレス通信のための装置。
［Ｃ５９］  前記受信された送信のために使用すべきＭＣＳを決定するために、前記識別されたＭＣＳテーブルを使用するための手段
をさらに備える、Ｃ５８に記載の装置。
［Ｃ６０］  第１のＭＣＳテーブルに基づいて第１のＭＣＳを表すために第１のビット数が使用され、第２のＭＣＳテーブルに基づいて第２のＭＣＳを表すために第２のビット数が使用される、Ｃ５８に記載の装置。
［Ｃ６１］  前記第１のビット数が前記第２のビット数と同じである、Ｃ６０に記載の装置。
［Ｃ６２］  ワイヤレス通信を管理するためのコンピュータプログラム製品であって、前記コンピュータプログラム製品は、
少なくとも２つの変調およびコーディング方式（ＭＣＳ）テーブルの使用をサポートすることと、
ワイヤレスチャネルを介して送信を受信することと、
前記受信された送信のために使用すべき前記少なくとも２つのＭＣＳテーブルのうちの１つを識別することと
を行うようにプロセッサによって実行可能な命令を記憶する非一時的コンピュータ可読媒体を備える、コンピュータプログラム製品。
［Ｃ６３］  少なくとも２つの変調およびコーディング方式（ＭＣＳ）テーブルの使用をサポートすることと、
前記少なくとも２つのＭＣＳテーブルのうちの１つを識別することと、
送信のためのＭＣＳを識別するために、前記識別されたＭＣＳテーブルを使用することと
を備える、ワイヤレス通信のための方法。
［Ｃ６４］  チャネル品質インジケータ（ＣＱＩ）値を識別すること
をさらに備え、前記識別されたＭＣＳが、前記受信されたＣＱＩ値に少なくとも部分的に基づく、Ｃ６３に記載の方法。
［Ｃ６５］  前記ＭＣＳを識別するために、前記識別されたＭＣＳテーブルを前記使用することが、  ダウンリンク送信のために前記ＭＣＳを選択すること
を備える、Ｃ６３に記載の方法。
［Ｃ６６］  前記ＭＣＳを識別するために、前記識別されたＭＣＳテーブルを前記使用することが、  アップリンク送信のために前記ＭＣＳを選択すること
を備える、Ｃ６３に記載の方法。
［Ｃ６７］  前記少なくとも２つのＭＣＳテーブルのうちの１つの前記識別がダウンリンク制御情報（ＤＣＩ）フォーマットに少なくとも部分的に基づく、Ｃ６３に記載の方法。
［Ｃ６８］  第１のＭＣＳテーブルに基づいて第１のＭＣＳを表すために第１のビット数が使用され、第２のＭＣＳテーブルに基づいて第２のＭＣＳを表すために第２のビット数が使用される、Ｃ６３に記載の方法。
［Ｃ６９］  前記第１のビット数が前記第２のビット数と同じである、Ｃ６８に記載の方法。
［Ｃ７０］  単一のＭＣＳテーブルを物理ダウンリンク共有チャネル（ＰＤＳＣＨ）の各割当てに関連付けること
をさらに備える、Ｃ６３に記載の方法。
［Ｃ７１］  単一の物理ダウンリンク共有チャネル（ＰＤＳＣＨ）を介して送信されるべき少なくとも２つのコードワードを識別することと、
前記少なくとも２つのコードワードのダウンリンク送信のために前記少なくとも２つのＭＣＳテーブルのうちの前記識別された１つを使用することと
をさらに備える、Ｃ６３に記載の方法。
［Ｃ７２］  前記送信のために使用されるべき制御チャネルのタイプを識別することと、
制御チャネルの前記識別されたタイプに少なくとも部分的に基づいて、前記送信のために使用すべき前記少なくとも２つのＭＣＳテーブルのうちの１つを識別することと
をさらに備える、Ｃ６３に記載の方法。
［Ｃ７３］  制御チャネル送信のための候補のセットを識別することと、
候補の前記識別されたセットに少なくとも部分的に基づいて、前記制御チャネル送信のために使用すべき前記少なくとも２つのＭＣＳテーブルのうちの１つを識別することとをさらに備える、Ｃ６３に記載の方法。
［Ｃ７４］  候補の第１のセットが共通探索空間に関連付けられ、候補の第２のセットがユーザ機器固有探索空間に関連付けられる、Ｃ７３に記載の方法。
［Ｃ７５］  前記共通探索空間と前記ユーザ機器探索空間の両方に関連付けられた少なくとも１つの候補を識別することと、
あらかじめ定義されたルールに少なくとも部分的に基づいて前記少なくとも２つのＭＣＳテーブルのうちの１つを識別することと
をさらに備える、Ｃ７４に記載の方法。
［Ｃ７６］  ワイヤレスチャネル上で発生すべき前記送信のタイプを識別することと、
送信の前記識別されたタイプに少なくとも部分的に基づいて、前記送信のために使用すべき前記少なくとも２つのＭＣＳテーブルのうちの１つを識別することと
をさらに備える、Ｃ６３に記載の方法。
［Ｃ７７］  前記少なくとも２つのＭＣＳテーブルのうちの１つを前記識別することが、
前記送信のために使用すべき前記ＭＣＳテーブルを動的に選択すること
を備える、Ｃ６３に記載の方法。
［Ｃ７８］  前記ＭＣＳテーブルの前記動的選択が、ダウンリンク制御情報中の情報フィールドによって実施され、ここで、前記情報フィールドが、構成の複数のセットのうちの１つを選択し、ここで、構成の各セットが、ＭＣＳテーブルインジケータと、レートマッチングパラメータおよび擬似コロケーション指示パラメータのうちの少なくとも１つとを含むパラメータを備える、Ｃ７７に記載の方法。
［Ｃ７９］  前記少なくとも２つのＭＣＳテーブルのうちの１つを識別することが、
あらかじめ定義された構成設定に従って、前記送信のために使用すべき前記ＭＣＳテーブルを選択すること
を備える、Ｃ６３に記載の方法。
［Ｃ８０］  ＭＣＳテーブルがＭＣＳのリスティングを備え、各ＭＣＳが、変調方式およびトランスポートブロックサイズ（ＴＢＳ）のうちの少なくとも１つにマッピングされる、Ｃ６３に記載の方法。
［Ｃ８１］  第１のＴＢＳテーブルが第１のＭＣＳテーブルからマッピングされ、第２のＴＢＳテーブルが第２のＭＣＳテーブルからマッピングされ、前記第２のＴＢＳテーブルが、前記第１のＴＢＳテーブル中の最大ＴＢＳよりも大きい少なくとも１つのＴＢＳを備える、Ｃ８０に記載の方法。
［Ｃ８２］  前記識別されたＭＣＳテーブルのうちの少なくとも１つが２５６直交振幅変調（ＱＡＭ）をサポートする、Ｃ６３に記載の方法。
［Ｃ８３］  プロセッサと、
前記プロセッサと電子通信しているメモリと、
前記メモリに記憶された命令と
を備え、前記命令が、
少なくとも２つの変調およびコーディング方式（ＭＣＳ）テーブルの使用をサポートすることと、
前記少なくとも２つのＭＣＳテーブルのうちの１つを識別することと、
送信のためのＭＣＳを識別するために、前記識別されたＭＣＳテーブルを使用することと
を行うように前記プロセッサによって実行可能である、ワイヤレス通信のための装置。
［Ｃ８４］  前記命令が、
チャネル品質インジケータ（ＣＱＩ）値を識別する
ように前記プロセッサによって実行可能であり、前記識別されたＭＣＳが、前記受信されたＣＱＩ値に少なくとも部分的に基づく、Ｃ８３に記載の装置。
［Ｃ８５］  前記ＭＣＳを識別するために、前記識別されたＭＣＳテーブルを使用するための前記命令が、
ダウンリンク送信のために前記ＭＣＳを選択する
ように前記プロセッサによって実行可能である、Ｃ８３に記載の装置。
［Ｃ８６］  前記ＭＣＳを識別するために、前記識別されたＭＣＳテーブルを使用するための前記命令が、
アップリンク送信のために前記ＭＣＳを選択する
ように前記プロセッサによって実行可能である、Ｃ８３に記載の装置。
［Ｃ８７］  前記少なくとも２つのＭＣＳテーブルのうちの１つの前記識別がダウンリンク制御情報（ＤＣＩ）フォーマットに少なくとも部分的に基づく、Ｃ８３に記載の装置。
［Ｃ８８］  第１のＭＣＳテーブルに基づいて第１のＭＣＳを表すために第１のビット数が使用され、第２のＭＣＳテーブルに基づいて第２のＭＣＳを表すために第２のビット数が使用される、Ｃ８３に記載の装置。
［Ｃ８９］  前記第１のビット数が前記第２のビット数と同じである、Ｃ８３に記載の装置。
［Ｃ９０］  前記命令が、
単一のＭＣＳテーブルを物理ダウンリンク共有チャネル（ＰＤＳＣＨ）の各割当てに関連付ける
ように前記プロセッサによって実行可能である、Ｃ８３に記載の装置。
［Ｃ９１］  前記命令が、
単一の物理ダウンリンク共有チャネル（ＰＤＳＣＨ）を介して送信されるべき少なくとも２つのコードワードを識別することと、
前記少なくとも２つのコードワードのダウンリンク送信のために前記少なくとも２つのＭＣＳテーブルのうちの前記識別された１つを使用することと
を行うように前記プロセッサによって実行可能である、Ｃ８３に記載の装置。
［Ｃ９２］  前記命令が、
前記送信のために使用されるべき制御チャネルのタイプを識別することと、
制御チャネルの前記識別されたタイプに少なくとも部分的に基づいて、前記送信のために使用すべき前記少なくとも２つのＭＣＳテーブルのうちの１つを識別することと
を行うように前記プロセッサによって実行可能である、Ｃ８３に記載の装置。
［Ｃ９３］  前記命令が、
制御チャネル送信のための候補のセットを識別することと、
候補の前記識別されたセットに少なくとも部分的に基づいて、前記制御チャネル送信のために使用すべき前記少なくとも２つのＭＣＳテーブルのうちの１つを識別することとを行うように前記プロセッサによって実行可能である、Ｃ８３に記載の装置。
［Ｃ９４］  候補の第１のセットが共通探索空間に関連付けられ、候補の第２のセットがユーザ機器固有探索空間に関連付けられる、Ｃ９３に記載の装置。
［Ｃ９５］  前記命令が、
前記共通探索空間と前記ユーザ機器探索空間の両方に関連付けられた少なくとも１つの候補を識別することと、
あらかじめ定義されたルールに少なくとも部分的に基づいて前記少なくとも２つのＭＣＳテーブルのうちの１つを識別することと
を行うように前記プロセッサによって実行可能である、Ｃ９４に記載の装置。
［Ｃ９６］  前記命令が、
ワイヤレスチャネル上で発生すべき前記送信のタイプを識別することと、
送信の前記識別されたタイプに少なくとも部分的に基づいて、前記送信のために使用すべき前記少なくとも２つのＭＣＳテーブルのうちの１つを識別することと
を行うように前記プロセッサによって実行可能である、Ｃ８３に記載の装置。
［Ｃ９７］  前記少なくとも２つのＭＣＳテーブルのうちの１つを識別するための前記命令が、
前記送信のために使用すべき前記ＭＣＳテーブルを動的に選択する
ように前記プロセッサによって実行可能である、Ｃ８３に記載の装置。
［Ｃ９８］  前記ＭＣＳテーブルの前記動的選択が、ダウンリンク制御情報中の情報フィールドによって実施され、ここで、前記情報フィールドが、構成の複数のセットのうちの１つを選択し、ここで、構成の各セットが、ＭＣＳテーブルインジケータと、レートマッチングパラメータおよび擬似コロケーション指示パラメータのうちの少なくとも１つとを含むパラメータを備える、Ｃ９７に記載の装置。
［Ｃ９９］  前記少なくとも２つのＭＣＳテーブルのうちの１つを識別するための前記命令が、
あらかじめ定義された構成設定に従って、前記送信のために使用すべき前記ＭＣＳテーブルを選択する
ように前記プロセッサによって実行可能である、Ｃ８３に記載の装置。
［Ｃ１００］  ＭＣＳテーブルがＭＣＳのリスティングを備え、各ＭＣＳが、変調方式およびトランスポートブロックサイズ（ＴＢＳ）のうちの少なくとも１つにマッピングされる、Ｃ８３に記載の装置。
［Ｃ１０１］  第１のＴＢＳテーブルが第１のＭＣＳテーブルからマッピングされ、第２のＴＢＳテーブルが第２のＭＣＳテーブルからマッピングされ、前記第２のＴＢＳテーブルが、前記第１のＴＢＳテーブル中の最大ＴＢＳよりも大きい少なくとも１つのＴＢＳを備える、Ｃ１００に記載の装置。
［Ｃ１０２］  前記識別されたＭＣＳテーブルのうちの少なくとも１つが２５６直交振幅変調（ＱＡＭ）をサポートする、Ｃ８３に記載の装置。
［Ｃ１０３］  少なくとも２つの変調およびコーディング方式（ＭＣＳ）テーブルの使用をサポートするための手段と、
前記少なくとも２つのＭＣＳテーブルのうちの１つを識別するための手段と、
送信のためのＭＣＳを識別するために、前記識別されたＭＣＳテーブルを使用するための手段と
を備える、ワイヤレス通信のための装置。
［Ｃ１０４］  ダウンリンク送信のために前記ＭＣＳを選択するための手段
をさらに備える、Ｃ１０３に記載の装置。
［Ｃ１０５］  アップリンク送信のために前記ＭＣＳを選択するための手段
をさらに備える、Ｃ１０３に記載の装置。
［Ｃ１０６］  ワイヤレス通信を管理するためのコンピュータプログラム製品であって、前記コンピュータプログラム製品は、
少なくとも２つの変調およびコーディング方式（ＭＣＳ）テーブルの使用をサポートすることと、
前記少なくとも２つのＭＣＳテーブルのうちの１つを識別することと、
送信のためのＭＣＳを識別するために、前記識別されたＭＣＳテーブルを使用することと
を行うようにプロセッサによって実行可能な命令を記憶する非一時的コンピュータ可読媒体を備える、コンピュータプログラム製品。
［Ｃ１０７］  少なくとも２つのチャネル品質インジケータ（ＣＱＩ）テーブルの使用をサポートすることと、
ワイヤレスチャネルのためのＣＱＩデータを受信することと、
前記ＣＱＩデータに基づいて、ＣＱＩ値を識別するために使用すべき前記少なくとも２つのＣＱＩテーブルのうちの１つを識別することと
を備える、ワイヤレス通信のための方法。
［Ｃ１０８］  どのＣＱＩテーブルが識別されたかにかかわらず、前記ＣＱＩ値を表すために同じビット数が使用される、Ｃ１０７に記載の方法。
［Ｃ１０９］  前記少なくとも２つのＣＱＩテーブルのうちの１つを前記識別することが、
あらかじめ定義された構成設定に従って、前記ＣＱＩ値を識別するために使用すべき前記ＣＱＩテーブルを選択すること
を備える、Ｃ１０７に記載の方法。
［Ｃ１１０］  前記少なくとも２つのＣＱＩテーブルのうちの１つを前記識別することが、
前記ＣＱＩ値を識別するために使用すべき前記ＣＱＩテーブルを動的に選択することを備える、Ｃ１０７に記載の方法。
［Ｃ１１１］  プロセッサと、
前記プロセッサと電子通信しているメモリと、
前記メモリに記憶された命令と
を備え、前記命令が、
少なくとも２つのチャネル品質インジケータ（ＣＱＩ）テーブルの使用をサポートすることと、
ワイヤレスチャネルのためのＣＱＩデータを受信することと、
前記ＣＱＩデータに基づいて、ＣＱＩ値を識別するために使用すべき前記少なくとも２つのＣＱＩテーブルのうちの１つを識別することと
を行うように前記プロセッサによって実行可能である、ワイヤレス通信のための装置。
［Ｃ１１２］  少なくとも２つのチャネル品質インジケータ（ＣＱＩ）テーブルの使用をサポートするための手段と、
ワイヤレスチャネルのためのＣＱＩデータを受信するための手段と、
前記ＣＱＩデータに基づいて、ＣＱＩ値を識別するために使用すべき前記少なくとも２つのＣＱＩテーブルのうちの１つを識別するための手段と
を備える、ワイヤレス通信のための装置。
［Ｃ１１３］  ワイヤレス通信を管理するためのコンピュータプログラム製品であって、前記コンピュータプログラム製品は、
少なくとも２つのチャネル品質インジケータ（ＣＱＩ）テーブルの使用をサポートすることと、
ワイヤレスチャネルのためのＣＱＩデータを受信することと、
前記ＣＱＩデータに基づいて、ＣＱＩ値を識別するために使用すべき前記少なくとも２つのＣＱＩテーブルのうちの１つを識別することと
を行うようにプロセッサによって実行可能な命令を記憶する非一時的コンピュータ可読媒体を備える、コンピュータプログラム製品。